(57)【要約】  医療装置１１０および医療装置１１０を製造するための方法が開示される。医療装置１１０は、少なくとも１つの第１の部分１１２であって、第１の部分１１２が少なくとも１つの相互接続装置１４２を備え、相互接続装置１４２が少なくとも１つの第１の導電層１４６、少なくとも１つの絶縁層１４８、および少なくとも１つの第２の導電層１５０であって、第２の導電層１５０が、少なくとも絶縁層１４８により、第１の導電層１４６から分離されている、少なくとも１つの第２の導電層１５０を備える、少なくとも１つの第１の部分１１２と、少なくとも１つの電気接触部１３２であって、電気接触部１３２が少なくとも１つの電気接触材料１６８を備え、電気接触部１３２が第２の導電層１５０に電気的に接続され、電気接触部１３２が第２の導電層１５０に対向する、相互接続装置１４２の一方側１９２から接触可能であり、電気接触部１３２がマイクロビアフリーで設けられる、少なくとも１つの電気接触部１３２と、少なくとも１つの第２の部分１１４であって、第２の部分１１４が少なくとも１つの電気コネクタ１３０を備え、第２の部分１１４が、第１の部分１１２と嵌合し、第２の部分１１４の電気コネクタ１３０と第１の導電層１４６との間の電気接続を確立し、電気接触部１３２を介して、電気コネクタ１３０と第２の導電層１５０との間の電気接続を確立するように構成される、少なくとも１つの第２の部分１１４とを備える。
2020511240.tif 000002
【特許請求の範囲】
【請求項１】
医療装置（１１０）であって、前記医療装置（１１０）は、
少なくとも１つの第１の部分（１１２）であって、前記第１の部分（１１２）が、少なくとも１つの相互接続装置（１４２）を備え、前記相互接続装置（１４２）が、
少なくとも１つの第１の導電層（１４６）、
少なくとも１つの絶縁層（１４８）、および
少なくとも１つの第２の導電層（１５０）であって、前記第２の導電層（１５０）が、少なくとも前記絶縁層（１４８）により、前記第１の導電層（１４６）から分離されている、少なくとも１つの第２の導電層（１５０）
を備える、少なくとも１つの第１の部分（１１２）と、
少なくとも１つの電気接触部（１３２）であって、前記電気接触部（１３２）が、少なくとも１つの電気接触材料（１６８）を備え、前記電気接触部（１３２）が、前記第２の導電層（１５０）に電気的に接続され、前記電気接触部（１３２）が、前記第２の導電層（１５０）に対向する、前記相互接続装置（１４２）の一方側（１９２）から接触可能であり、前記電気接触部（１３２）が、マイクロビアフリーで設けられる、少なくとも１つの電気接触部（１３２）と、
少なくとも１つの第２の部分（１１４）であって、前記第２の部分（１１４）が、少なくとも１つの電気コネクタ（１３０）を備え、前記第２の部分（１１４）が、前記第１の部分（１１２）と嵌合し、前記第２の部分（１１４）の前記電気コネクタ（１３０）と前記第１の導電層（１４６）との間の電気接続を確立し、前記電気接触部（１３２）を介して、前記電気コネクタ（１３０）と前記第２の導電層（１５０）との間の電気接続を確立するように構成される、少なくとも１つの第２の部分（１１４）と
を備える医療装置（１１０）。
【請求項２】
前記電気接触材料（１６８）は、導電性ペースト（２２２）を備え、または、導電性ペースト（２２２）として前記相互接続装置（１４２）に適用可能である、請求項１記載の医療装置（１１０）。
【請求項３】
前記電気接触材料（１６８）は、銅フリーである、請求項１または２記載の医療装置（１１０）。
【請求項４】
前記電気接触材料（１６８）は、銀、塩化銀、および炭素からなる群から選択される少なくとも１つの材料を含む、請求項１〜３のいずれか１項に記載の医療装置（１１０）。
【請求項５】
前記相互接続装置（１４２）が、少なくとも１つの縁部（１７４）を有し、前記電気接触材料（１６８）が、前記相互接続装置（１４２）の前記縁部（１７４）を越えて延在する、請求項１〜４のいずれか１項に記載の医療装置（１１０）。
【請求項６】
前記第１の導電層（１４６）は、前記絶縁層（１４８）の第１の絶縁層の側（１６４）に配置され、前記第２の導電層（１５０）は、前記絶縁層（１４８）の第２の絶縁層の側（１６６）に配置され、前記第２の絶縁層の側（１６６）は、前記第１の絶縁層の側（１６４）に対向し、前記電気接触部（１３２）および前記第１の導電層（１４６）はいずれも、前記第１の絶縁層の側（１６４）に少なくとも部分的に配置される、請求項５記載の医療装置（１１０）。
【請求項７】
前記電気接触部（１３２）が、層（１６７）を形成し、前記第１の部分（１１２）は、前記第２の導電層（１５０）が前記層（１６７）に電気的に接触するように前記層（１６７）と接触し、前記層（１６７）は、前記第１の部分（１１２）を越えて横方向に延在し、前記第２の部分（１１４）の前記電気コネクタ（１３０）は、前記第１の導電層（１４６）に接触する少なくとも１つの第１の電気コネクタ（２２６）を備え、前記電気コネクタ（１３０）は、前記第１の部分（１１２）を越えて横方向に延在する、前記電気接触部（１３２）の前記層（１６７）の一部分（１７１）を介して前記第２の導電層（１５０）に接触する少なくとも１つの第２の電気コネクタ（２２８）をさらに備える、請求項１〜６のいずれか１項に記載の医療装置（１１０）。
【請求項８】
前記第２の部分（１１４）の前記電気コネクタ（１３０）は、プラグを備え、前記少なくとも１つの第１の電気コネクタ（２２６）および前記少なくとも１つの第２の電気コネクタ（２２８）は、前記プラグの一部であり、互いに隣に配置され、前記第１の電気コネクタ（２２６）および前記第２の電気コネクタ（２２８）は、同じ側から前記第１の部分（１１２）に電気的に接触する、請求項７記載の医療装置（１１０）。
【請求項９】
前記医療装置（１１０）は、以下の構成：
前記電気接触部（１３２）の前記層（１６７）、
前記電気接触部（１３２）の前記層（１６７）と電気的に接触する前記第２の導電層（１５０）、
前記絶縁層（１４８）、
前記第１の導電層（１４６）
を与えられた順序において備える、請求項７または８記載の医療装置（１１０）。
【請求項１０】
医療装置（１１０）、具体的には、請求項１〜９のいずれか１項に記載の医療装置（１１０）を製造するための方法であって、前記方法は、以下の工程：
ａ）少なくとも１つの絶縁層（１４８）であって、その上に配置された少なくとも１つの第１の導電層（１４６）および少なくとも１つの第２の導電層（１５０）を有する少なくとも１つの絶縁層（１４８）を設けることにより、前記医療装置（１１０）の少なくとも１つの第１の部分（１１２）を設ける工程であって、前記第２の導電層（１５０）が、少なくとも前記絶縁層（１４８）により、前記第１の導電層（１４６）から分離されている、少なくとも１つの第１の部分（１１２）を設ける工程、
ｂ）少なくとも１つの電気接触部（１３２）を設ける工程であって、前記電気接触部（１３２）が、少なくとも１つの電気接触材料（１６８）を備え、前記電気接触部（１３２）は、前記第２の導電層（１５０）に対向する、前記第１の部分（１１２）の一方側（１９２）から接触可能であるように配置され、前記電気接触部（１３２）が、マイクロビアフリーで設けられる、少なくとも１つの電気接触部（１３２）を設ける工程、
ｃ）前記電気接触部（１３２）を前記第２の導電層（１５０）に電気的に接続する工程、
ｄ）前記医療装置（１１０）の少なくとも１つの第２の部分（１１４）を設ける工程であって、前記第２の部分（１１４）が、少なくとも１つの電気コネクタ（１３０）を有する、少なくとも１つの第２の部分（１１４）を設ける工程、および
ｅ）前記第２の部分（１１４）を前記第１の部分（１１２）と嵌合させ、前記第２の部分（１１４）の前記電気コネクタ（１３０）と前記第１の導電層（１４６）との間の電気接続を確立し、前記電気接触部（１３２）を介して、前記電気コネクタ（１３０）と前記第２の導電層（１５０）との間の電気接続を確立する工程
を含む方法。
【請求項１１】
工程ｂ）およびｃ）において、前記電気接触部（１３２）が、前記絶縁層（１４８）の少なくとも１つの縁部（１７４）を越えて延在するように配置される、請求項１０記載の方法。
【請求項１２】
工程ｂ）において、前記電気接触部（１３２）は、層（１６７）を形成するように配置され、工程ｃ）において、前記第１の部分（１１２）は、前記第２の導電層（１５０）が前記層（１６７）に電気的に接触するように前記層（１６７）と接触させられ、前記層（１６７）は、前記絶縁層（１４８）を越えて横方向に延在する、請求項１０または１１記載の方法。
【請求項１３】
前記第２の部分（１１４）の前記少なくとも１つの電気コネクタ（１３０）は、第１の電気コネクタ（２２６）を備え、工程ｅ）は、前記第１の導電層（１４６）を前記第１の電気コネクタ（２２６）と電気的に接触させる工程を含み、前記第２の部分（１１４）の前記少なくとも１つの電気コネクタ（１３０）は、第２の電気コネクタ（２２８）をさらに備え、工程ｅ）は、前記絶縁層（１４８）を越えて横方向に延在する前記層（１６７）の一部分（１７１）を介して、前記第２の導電層（１５０）を前記第２の電気コネクタ（２２８）と電気的に接触させる工程を含む、請求項１２記載の方法。
【請求項１４】
前記電気接触部（１３２）の前記層（１６７）が、少なくとも１つの支持体（２１５）上に導電性ペースト（２２２）を被覆することによって形成される、請求項１２または１３記載の方法。
【発明の詳細な説明】
【技術分野】
【０００１】
本発明は、医療装置、および医療装置を製造するための方法に関する。本発明による装置および方法は、主に、血糖値の、または、体液内の１つまたは複数の他のタイプの被検体の濃度の長期モニタリングのためなどの、体液内の被検体濃度の長期モニタリングのために使用され得る。さらに、本発明による医療装置および方法は、ユーザーの身体の生理的な状態をモニタリングするため、ならびに、より好ましくは、ユーザーの体液内の被検体濃度をモニタリングするため、および／または、心拍数、血圧、もしくは他のタイプの身体機能などの１つまたは複数の他のタイプの身体機能をモニタリングするためなどの、１つまたは複数の身体機能をモニタリングするいずれの分野においても使用され得る。好ましくは、本発明による装置は、ユーザーの体液内の被検体濃度の生体内測定のために使用され得る。しかし、他の適用分野も可能である。
【背景技術】
【０００２】
医療技術の分野において、具体的には、病院内の患者の健康状態をモニタリングする分野において、または、在宅モニタリングの分野において、１つまたは複数の身体機能に関する１つまたは複数のパラメータを測定するための多数の装置が知られている。よって、具体的には、ユーザーの心拍数、血圧、または体液内の１つまたは複数の被検体の濃度を測定するためのセンサー要素が知られている。以下では、本発明の範囲を制限することなく、および、他のタイプのセンサーユニットを使用する可能性を制限することなく、本発明は、主に、血液および／または間質液中のグルコースを測定するためなどの、体液内の１つまたは複数の被検体の濃度を電気化学的に測定することができる電気化学センサーユニットの文脈で開示される。よって、電気化学バイオセンサーとも呼ばれる電気化学的試験が知られている。このタイプのバイオセンサーは、主に、血液、血清、間質液（ＩＳＦ）、または尿などの生体液の内容物を定性的および／または定量的に分析するために使用される。当該技術分野において最も広く検出されている被検体はグルコースである。しかし、付加的にまたは代替的に、乳酸塩、ＰＴＴ（部分トロンボプラスチン）、ｐＨ値、尿素、脂質、エタノール、コレステロール、または他のタイプの被検体を検出するための検出器などの、他のタイプの被検体のための検出器が知られている。電気化学グルコースセンサーユニットの特定の実施形態の例は、特許文献１〜６に開示されている。
【０００３】
当該技術分野においては、体液を分析するために、測定装置またはセンサーユニットを使用することによって後に分析される体液の特定の試料のサンプリングを必要とするいわゆるスポット測定が知られている。さらに、スポット測定に加えて、連続測定が知られている。よって、具体的に、間質体組織（間質）内のグルコース測定の分野では、ＣＭ装置とも呼ばれる連続測定方法および装置が知られている。これらの連続モニタリング方法および装置は、具体的には、糖尿病状態などの特定のタイプの病気を管理し、モニタリングし、および制御するために有用である。一方、いわゆる針型センサーまたはＮＴＳとも呼ばれ、または、実施され得る、埋め込まれた電気化学センサー要素が使用される。その中で、１つまたは複数の電極を有するアクティブセンサー部分が、間質組織内などの、測定領域内に直接配置される。さらに、１つまたは複数の酵素を有する少なくとも１つの検出器物質を有する１つまたは複数のセンサー電極または作用電極を使用することにより、その場での、または生体内での電気化学測定が行なわれ得る。よって、例として、そこからグルコースの濃度が導出され、測定信号または測定情報として使用され得る、グルコースの存在下で電荷、電流、または電位を生成するように構成された、グルコースオキシダーゼなどの酵素が使用され得る。これらのタイプの経皮測定システムの例は、特許文献７または８に開示されている。
【０００４】
一般に、当該技術分野において知られているような連続モニタリングシステムは、経皮システムである。本明細書において使用しているように、経皮システムとの用語は、経皮センサーユニットを備える、身体機能をモニタリングするための装置を表す。好ましくは１つまたは複数の電極を含むこの経皮センサーユニットは、ユーザーの体組織内の、ユーザーの皮下に配置される。センサーユニットの一部は、評価ユニットまたはパッチともしばしば呼ばれ、一般に、センサーユニットを制御するように、および／または、センサーユニットによって提供される信号を評価するように構成され得る電子ユニットに電気的に接続されるために、ユーザーの皮膚を貫通し得る。評価ユニットは、一般に、人間または動物であり得るユーザーの体外に配置され得る。本発明による装置はさらに、任意的には、経皮システムとして実施され得る。経皮システムでは、一般に、センサーユニットは、１つまたは複数の挿入器または挿入補助器を使用することにより、体組織内に全体的または部分的に挿入される。挿入器の例は、特許文献７において開示されている。他のタイプの挿入器も知られている。通常、経皮システムは、数時間〜数か月間、もしくは典型的には数日間〜数週間、またはより典型的には一週間、ユーザーにおいて装着される。
【０００５】
具体的に経皮センサーシステムの分野では、基板のパターニング、組み立て手法、電気接触、およびパッケージングに関連する多数の技術的課題が生じている。よって、経皮システム用のセンサーユニットとして使用されることが多い針型センサーは、一般に、低電気抵抗を有する微細な導電路を備える細長い可撓性基板を必要とする。センサー基板の可撓性、およびセンサー電極の微細パターニング、および高信頼度の接触の要求により、重要な技術的課題が課されている。さらに、具体的に、医療技術の分野におけるコストの上昇に鑑みて、高コスト効率の製造および組み立ての技術が一般に要求される。
【０００６】
センサー装置の分野では、テストエレメントに接触するためのいくつかの手段および方法が知られている。例として、コネクタピンまたはばね接触を介したテストストリップの接触が、特許文献９に開示されている。特許文献１０では、ユーザーの少なくとも１つの身体機能をモニタリングするための装置を製造する方法が開示されている。
【０００７】
エレクトロニクスの技術分野において、具体的には、半導体製造の分野において、または集積回路（ＩＣ）の製造の分野において、リソグラフィー技術またはエッチング技術などの種々のプリント技術またはパターニング技術が一般に知られている。さらに、レーザーアブレーション技術による、導電路および電極のパターニングが、たとえば、特許文献１１〜１６において開示されている。さらに、特許文献１７に開示されたものなどの、電極パターニングのためのプリント技術が知られている。これらの技術は、一般に、分解能によって制限される。さらに、異方性導電接着剤が、特許文献１８または１９に開示されたものなどの、集積回路内のフリップチップデバイスの組み立てのために使用される。さらに、タッチパネルディスプレイにおける導電性ポリマー電極に接触するための異方性接着剤の使用が、特許文献２０において開示されている。
【０００８】
プリント回路基板の電気接触部は、通常、ビア、具体的にはマイクロビアによって実現される。両面接触は、プリント回路基板の両面それぞれとの電気接続を確立するように構成されたコネクタの設計など、周囲のハードウェアを設計している際に、利点につながり得る。通常、５０μｍ〜１００μｍの孔などの孔は、銅を含有するプリント回路基板の層により孔が制限されるように、プリント回路基板内に調製され得る。その後、孔は、電気的に銅めっきされ得る。
【０００９】
以上に記載した技術によって示唆される利点にかかわらず、多数の技術的課題が医療技術において残されている。通常、マイクロビアの使用は欠点につながり得る。具体的には、多数の製造工程が、マイクロビアを製造するために必要であり得る。このことは、製造コストの増大に、および製造時間の増大につながり得る。さらに、生体適合性材料の使用は、特に、可撓性プリント回路基板を有するグルコースセンサーなどの侵襲的構成要素において望ましい場合がある。しかし、通常、マイクロビアは銅で作製される。
【先行技術文献】
【特許文献】
【００１０】
【特許文献１】米国特許第５４１３６９０号明細書
【特許文献２】米国特許第５７６２７７０号明細書
【特許文献３】米国特許第５７９８０３１号明細書
【特許文献４】米国特許第５９９７８１７号明細書
【特許文献５】米国特許出願公開第２００９／００２０５０２号明細書
【特許文献６】国際公開第２００９／０５６２９９号
【特許文献７】米国特許第６３６０８８８号明細書
【特許文献８】米国特許第２００８／０２４２９６２明細書
【特許文献９】米国特許第７５２７７１６号明細書
【特許文献１０】欧州特許出願公開第２６７９１５６号明細書
【特許文献１１】米国特許第６０４４４４１号明細書
【特許文献１２】米国特許第６３０９５２６号明細書
【特許文献１３】国際公開第００／７３７８５号
【特許文献１４】国際公開第０１／３６９５３号
【特許文献１５】国際公開第０１／７５４４３８号
【特許文献１６】欧州特許出願公開第１１５２２３９号明細書
【特許文献１７】米国特許第６００４４４１号明細書
【特許文献１８】欧州特許第０９９５７８４号明細書
【特許文献１９】米国特許第６２３８５９７号明細書
【特許文献２０】米国特許出願公開第２０１２／００３２９１０号明細書
【発明の概要】
【００１１】
したがって、本発明の目的は、この種の公知の装置および方法の欠点を少なくとも部分的に回避し、上述した課題に少なくとも部分的に対処する医療装置、および医療装置を製造するための方法を提供することである。具体的には、体液内の１つまたは複数の被検体の連続モニタリングのためのセンサー装置などの医療装置の、簡単であり、効率的であり、およびなお高信頼度の製造を可能にする装置を開示する。
【００１２】
この課題は、独立請求項の特徴を有する、医療装置、および医療装置を製造するための方法によって解決される。単独で、またはいずれの任意の組み合わせでも実現し得る好ましい実施形態は、従属請求項に記載されている。
【００１３】
以下で使用されるように、「有する」、「備える」、もしくは「含む」、またはそれらのいずれかの任意の文法上の変形は、非排他的に使用される。よって、これらの用語は、これらの用語によって導入される特徴に加えて、この文脈で説明される構成体においてさらなる特徴が存在しない状況と、１つまたは複数のさらなる特徴が存在している状況との両方を表し得る。例として、表現「ＡはＢを有する」、「ＡはＢを備える」、および「ＡはＢを含む」は、Ｂに加えて、Ａには他の要素が存在しない状況（すなわち、Ａが単独で、および排他的に、Ｂから成る状況）と、Ｂに加えて、要素Ｃ、要素ＣおよびＤ、またはさらなる要素などの１つまたは複数のさらなる要素が構成体Ａにおいて存在している状況との両方を表し得る。
【００１４】
さらに、「少なくとも１つの」、「１つまたは複数の」との用語、または、特徴または要素が一回、または二回以上、存在し得ることを示す同様の表現は、通常、それぞれの特徴または要素を導入する際に一回のみ使用される。以下では、大半の場合に、それぞれの特徴または要素を表す際に、「少なくとも１つの」または「１つまたは複数の」との表現は、それぞれの特徴または要素が一回または二回以上存在し得るにもかかわらず、反復されない。
【００１５】
さらに、以下で使用されるように、「好ましくは」、「より好ましくは」、「特に」、「さらに特に」、「具体的に」、「より具体的に」との用語、または同様の用語は、代替的な可能性を制限することなく、任意の特徴とともに使用される。よって、これらの用語によって導入される特徴は、任意の特徴であり、いかなるやり方によっても請求項の範囲を限定することを意図するものでない。当業者が認識するように、本発明は、代替的な特徴を使用することによって行なわれ得る。同様に、「本発明の実施形態における」、または同様の表現によって導入される特徴は、本発明の代替的な実施形態に関するいかなる制限もなしで、本発明の範囲に関するいかなる制限もなしで、および、本発明の他の任意の、または任意でない特徴と、そのようにして導入される特徴を組み合わせる可能性に関するいかなる制限もなしで、任意の特徴であることを意図する。
【００１６】
本発明内で概して使用されるように、「患者」または「ユーザー」との用語は、人間または動物それぞれが健康状態にあり得るか、または１つまたは複数の疾患を患い得ることと無関係に、人間または動物を表し得る。例として、患者またはユーザーは、糖尿病を患う人間または動物であり得る。しかし、付加的にまたは代替的に、本発明は、他のタイプのユーザーもしくは患者または疾患に適用され得る。
【００１７】
「体組織」との用語は、概して、細胞と完全な臓器との間の中間の細胞組織レベルを表し得る。体組織は、具体的には、特定の機能をあわせて行う、同じ臓器の同様の細胞の集合であり得る。それにより、臓器は、複数の組織をあわせて機能的にグループ化することによって形成され得る。例として体組織の場合、間質組織、すなわち、構造の細胞要素間の結合組織、または、皮膚の一部であり、皮膚の近くにあり、または皮膚の下にあり得る間質組織が挙げられ得る。本明細書においてさらに使用されるように、「体液」との用語は、概して、ユーザーまたは患者の体組織または身体内に通常存在している流体、および／または、ユーザーまたは患者の身体によって生成され得る流体を表し得る。よって、例として、体液は、血液および間質液からなる群から選択され得る。しかし、付加的にまたは代替的に、唾液、涙液、尿、または他の体液などの１つまたは複数の他のタイプの体液が使用され得る。
【００１８】
本発明の第１の態様において、医療装置が開示される。医療装置は、少なくとも１つの第１の部分を備える。第１の部分は、少なくとも１つの相互接続装置を備える。相互接続装置は、少なくとも１つの第１の導電層と、少なくとも１つの絶縁層と、少なくとも１つの第２の導電層とを備える。第２の導電層は、少なくとも絶縁層により、第１の導電層から分離されている。少なくとも１つの絶縁層は、例として、絶縁基板を形成し得る。
【００１９】
医療装置は、少なくとも１つの電気接触部をさらに備える。電気接触部は、第１の部分の一部として、または独立した電気接触部として具現化され得る。電気接触部は、少なくとも１つの電気接触材料を備え、以下にさらに詳細に説明するように、電気接触材料は、導電性ペーストで作製され得るか、または導電性ペーストを備え得る。電気接触部は、第２の導電層に電気的に接続される。電気接触部は、たとえば、絶縁層に対して、第２の導電層に対向する相互接続装置の一方側から接触可能である。よって、相互接続装置の一方側と、第２の導電層とは、互いに対向している。特に、第２の導電層に対向する、相互接続装置の一方側は、絶縁層に対してなど、第２の導電層に対向し得る。ここでは、「絶縁層に対して」との表現は、相互接続装置の一方側、および第２の導電層の、対向する２つの対象物が、絶縁層によって分離されているということを強調するものとして理解され得る。よって、電気接触部は、絶縁層に対して、第２の導電層に対向する相互接続装置の一方側から接触可能であり得る。すなわち、電気接触部は、相互接続装置の一方側から接触可能であり、相互接続装置の一方側は、絶縁層に対して、第２の導電層に対向している。電気接触部は、マイクロビアフリーで設けられている。
【００２０】
さらに、医療装置は、少なくとも１つの第２の部分を備える。第２の部分は、少なくとも１つの電気コネクタを備える。さらに、第２の部分は、第１の部分と嵌合し、第２の部分の電気コネクタと第１の導電層との間の電気接続を確立し、電気接触部を介して、第２の部分の電気コネクタと第２の導電層との間の電気接続をさらに確立するように構成される。
【００２１】
よって、以下にさらに詳細に説明するように、電気接触部は、第１の導電層および第２の導電層が絶縁層の反対側に配置されていても、第１の部分の絶縁層の同じ側から、第１の導電層および第２の導電層の両方を電気的に接触させることを可能にする。例として、第１の導電層は、絶縁層の第１の側に配置される少なくとも１つの第１の接触パッドを備え得るし、第２の導電層は、第１の側に対向する、絶縁層の第２の側に配置される少なくとも１つの第２の接触パッドを備え得る。電気接触ペーストなどの電気接触部は、同じ側から、たとえば、第１の側から、第１の接触パッドおよび第２の接触パッドの両方を接触させることを可能にする。その中で、好ましくは、電気接触部は、絶縁層を貫通するいかなるビアも含んでいない。その代わりに、以下にさらに詳細に説明するように、基本的には、２つの概念が、代替的に、または組み合わせでも使用され得る：
ａ）電気接触部の一部分が、絶縁層の第１の側に、すなわち、第１の導電層と同じ側に配置され、および、電気接触部のさらなる部分が、第２の導電層に接触する第２の側に配置されるように、導電性ペーストなどの電気接触部が、絶縁層の縁部を越えて延在する第１の概念。したがって、第１の側では、第１の導電層と、第２の導電層に接続された間の電気接触部の一部分との両方が電気的に接続され得る。
ｂ）導電性ペーストなどの電気接触部が、第１の部分がその上に置かれ得る層、具体的には平坦層を形成し、第２の導電層がその層と電気的に接触し、その層が、絶縁層を越えて横方向に延在する第２の概念。この場合、例として、第２の部分の少なくとも１つの電気コネクタは、第１の層と電気的に接触する第１の電気コネクタと、絶縁層を越えて横方向に延在する、電気接触部のその層の少なくとも一部分と電気的に接触する第２の電気コネクタとを備え得る。
【００２２】
第２の概念によれば、医療装置は、具体的には、以下の構成：
電気接触部の層、
電気接触部の層と電気的に接触している第２の導電層、
絶縁層、
第１の導電層
を与えられた順序で備える。
【００２３】
リストの形式で与えられるいくつかの要素または対象物を表す場合、「与えられた順序で」との表現は、概して、構成における、またはアレイにおけるこれらの要素の一連の配置を記述し、要素の一連の配置は、要素がリスト内に表示される順序と一致している。したがって、リスト内でいずれかの２つの要素が互いに有し得る関係は、構成またはアレイにおけるこれらの要素の一連の配置において反映される。したがって、リスト上では第３の要素によって分離されている２つの要素は、構成またはアレイにおいて、少なくともその同じ第３の要素によって分離され得る。具体的には、言い換えると、電気接触部の層には、電気接触部の層と電気的に接触している第２の導電層が続き得るし、第２の導電層には、絶縁層が続き得るし、絶縁層には、再度、第１の導電層が続き得る。
【００２４】
本明細書においてさらに使用されるように、「医療装置」との用語は、概して、少なくとも１つの医療分析および／または少なくとも１つの医療手順を行うように構成された任意の装置を表し得る。したがって、医療装置は、概して、少なくとも１つの診断目的、および／または少なくとも１つの治療目的を成し遂げるように構成された任意の装置であり得る。以下では、さらなる実施形態を制限することなく、本発明は、主に、少なくとも１つの診断目的を成し遂げるように構成された医療装置、および、具体的には、少なくとも１つの分析を行うための少なくとも１つの被検体センサーを備える医療装置に関して説明される。医療装置は、概して、さらにセンサー組立体、センサーシステム、センサーキット、またはセンサー装置であり得るか、または、センサー組立体、センサーシステム、センサーキット、またはセンサー装置を備え得るが、好ましくは、医療装置は、Ａｂｂｏｔｔ  Ｆｒｅｅｓｔｙｌｅ  Ｌｉｂｒｅ（登録商標）、Ｄｅｘｃｏｍ  Ｇ５（登録商標）ＣＧＭシステム、またはＲｏｃｈｅ  Ａｃｃｕ−Ｃｈｅｋ  Ｉｎｓｉｇｈｔ  ＣＧＭなどの連続グルコースモニタリングセンサー組立体、センサーシステム、センサーキットまたはセンサー装置である。医療装置は、具体的には、１０００ｃｍ3未満の、もしくは５００ｃｍ3未満の容積を有し、および／または５００ｇ未満の、好ましくは、２００ｇ未満の重量を有する装置などの、ユーザーによって持ち運ぶことができるコンパクト、ウェアラブル、またはポータブル装置であり得る。具体的には、装置は、ユーザーの身体の体表面上に全体的または部分的に装着され得る。医療装置は、ユーザーの少なくとも１つの身体機能をモニタリングするように構成され得る。しかし、他の適用も実現可能であり得る。
【００２５】
「第１の部分」および「第２の部分」との用語は、命名された要素に番号を付け、または命名された要素をランク付けすることなく、順序を特定することなく、および、いくつかの種類の第１の部分および第２の部分が存在し得る可能性を排除することなく、呼び方のみとしてみなされ得る。さらに、１つまたは複数の第３の部分などのさらなる部分が存在してもよい。「部分」との用語は、対象物の任意の構成部分を表し得る。構成部分は、対象物のさらなる構成部分と相互作用するように構成され得る。具体的には、医療装置の第１の部分および第２の部分は、上述したような医療分析および／または医療手順を行うためなどに、１つまたは複数の診断および／または治療の目的を成し遂げるためなどに、互いに相互作用することが可能であり得る。具体的には、第１の部分および第２の部分は、体液内の少なくとも１つの被検体の少なくとも１つの検出を行うことが可能であり、および／または、体液内の少なくとも１つの被検体の少なくとも１つの検出に寄与するためであり得る。しかし、他の実施形態も実現可能であり得る。
【００２６】
例示的に、医療装置の第１の部分は、センサーユニットであり得るし、第２の部分は、センサー電子ユニット、具体的には評価ユニットであり得る。本明細書中でさらに使用されるように、「センサーユニット」との用語は、検出の処理を行うように構成された任意の要素、および／または、検出の処理において使用されるように構成された任意の要素を表し得る。よって、センサーユニットは、具体的には、被検体の濃度および／または被検体の存在を判定するように構成され得る。センサーユニットは、「センサー」または「被検体センサー」とも呼ばれ得る。以下にさらに詳細に説明するように、センサーユニットは、具体的には、ユーザーまたは患者の体組織内に全体的または部分的に埋め込み可能であり得る。「検出」との用語は、概して、少なくとも１つの被検体の存在および／または量および／または濃度を判定する処理を表し得る。よって、検出は、少なくとも１つの被検体の存在、もしくは少なくとも１つの被検体の不存在を単に判定する定性検出であり得るか、もしくは定性検出を備え得る、ならびに／または、少なくとも１つの被検体の量および／もしくは濃度を判定する定量検出であり得るか、もしくは定量検出を備え得る。検出の結果として、少なくとも１つの測定信号などの、検出の結果を特徴付ける少なくとも１つの信号が生成され得る。少なくとも１つの信号は、具体的には、少なくとも１つの電圧および／または少なくとも１つの電流などの少なくとも１つの電子信号であり得るか、または電子信号を含み得る。少なくとも１つの信号は、少なくとも１つのアナログ信号であり得るか、もしくは少なくとも１つのアナログ信号を含み得る、および／または、少なくとも１つのデジタル信号であり得るか、もしくは少なくとも１つのデジタル信号を含み得る。
【００２７】
センサーユニットは、具体的には、電気化学センサーであり得る。本明細書中で使用されるように、「電気化学センサー」は、概して、体液内に含まれる少なくとも１つの被検体を検出するために電気化学測定を行うように構成されたセンサーである。「電気化学測定」との用語は、電気化学検出反応などの、被検体の電気化学的に検出可能な特性の検出を表す。よって、たとえば、電気化学検出反応は、１つまたは複数の電極電位を比較することによって検出され得る。電気化学センサーは、具体的には、少なくとも１つの電流および／または少なくとも１つの電圧などの、電気化学反応の存在および／または程度を直接的にまたは間接的に示す少なくとも１つの電気センサー信号を生成するように、構成され得る、および／または使用可能であり得る。センサーユニットのセンサーは、少なくとも１つの作用電極および少なくとも１つの対向電極などの少なくとも２つの電極を備え得る。本明細書中で使用されるように、「作用電極」との用語は、体液内の少なくとも１つの被検体を検出するために、少なくとも１つの電気化学検出反応を行うように構成された、または少なくとも１つの電気化学検出反応を行うために使用可能な電極を表し得る。作用電極は、検出する対象の被検体に対して感度を有する少なくとも１つの試験化学物質を有し得る。「試験化学物質」との用語は、具体的には、少なくとも１つの被検体の存在下での少なくとも１つの検出可能な特性を変化させるように構成された任意の物質または、物質の組成物を表し得る。この特性は、電気化学的に検出可能な特性であり得る。具体的には、少なくとも１つの被検化学物質は、被検体が体液内に存在している場合にのみ特性を変化させる一方、被検体が存在していない場合には変化が生じない高選択性試験化学物質であり得る。少なくとも１つの特性の程度または変化は、被検体の定量検出を可能にするために、体液内の被検体の濃度に依存する。例として、試験化学物質は、グルコースオキシダーゼおよび／またはグルコースデヒドロゲナーゼなどの少なくとも１つの酵素を含み得る。本明細書中で使用されるように、「対向電極」との用語は、少なくとも１つの電気化学的対反応を行なうように構成され、および、作用電極における検出反応によって要求される電流の流れを均衡させるように構成される電極を表し得る。
【００２８】
しかし、付加的にまたは代替的に、心拍動による適切な動きを検出することなどにより、心拍数を検出するためのセンサーユニット、血圧測定ユニット、温度センサー、ｐＨセンサー、もしくは他の任意のタイプのセンサーユニット、またはそれらの組み合わせの１つまたは複数などの他のタイプのセンサーユニットが備えられ得る。
【００２９】
センサーユニットは、少なくとも１つの埋込可能なセンサーユニットを備え得る。具体的には、埋込可能なセンサーユニットは、経皮挿入によるなど、ユーザーの体組織に全体的または部分的に埋め込むように構成された少なくとも１つの埋込可能な部分を含み得る。「埋込可能な部分」との用語は、概して、患者またはユーザーの体組織を介して全体的、または少なくとも部分的に配置するように構成された、要素の任意の部分の特性を表し得る。よって、センサーユニットは、経皮センサーユニットとも呼ばれ得る。埋込可能な部分は、生体適合性表面、すなわち、たとえば生体適合性コーティングを有することにより、少なくとも使用期間中に、ユーザー、患者、または体組織に対するいかなる悪影響も及ぼさない表面を全体的または部分的に設け得る。さらに、埋込可能な部分は、概して、５ｍｍ以下の、好ましくは２ｍｍ以下の、より好ましくは１．５ｍｍ以下の、挿入方向に対して垂直の方向における幅を設けることなどにより、体組織への要素の経皮挿入が実現可能であるように寸法決めされ得る。よって、「皮下」との用語は、概して、ユーザーまたは患者の体組織内に、および皮下にある、または位置している任意の要素の特性を表し得る。具体的には、対象物は、例示的に注射として皮膚の下に導入されるように構成され得る。
【００３０】
「センサー電子ユニット」との用語は、概して、測定値を取得するため、および、任意的に、測定値を全体的または部分的に評価するためなどに、データを処理するように構成された任意の一構成部分または複数構成部分の要素または装置を表し得る。したがって、センサー電子ユニットは、評価ユニットとも呼ばれ得る。具体的には、センサー電子ユニットは、センサーユニットと相互作用するように、および／またはセンサーユニットを制御するように構成され得る。例として、欧州特許出願公開第１９７２２６９号明細書に開示されたセンサー電子ユニット、およびそこに開示されたセンサーユニットが参照され得る。なお、他の実施形態も実現可能である。
【００３１】
本明細書中にさらに使用されるように、「相互接続装置」との用語は、トラックおよび／またはパッドを使用することなどにより、電子構成部分を機械的に支持し、および／または、電子構成部分に電気的に接続するように構成された任意の装置を表し得る。相互接続装置は、具体的には、少なくとも１つの電気絶縁材料を備え得る。電気絶縁材料は、電子構成部分用の基板を形成し得る。例として、相互接続装置は、平坦な形状を有し得る。相互接続装置は、少なくとも２倍、少なくとも５倍、少なくとも１０倍、または少なくとも２０倍もしくはそれ以上だけ、その厚さを超える横方向の延在部分を有し得る。相互接続装置は、具体的には、ストリップ形状および／またはバー形状などの細長い形状を有し得る。相互接続装置は、回路基板とも、および／またはプリント回路基板とも呼ばれ得る。
【００３２】
具体的には、相互接続装置は、銅フリーの相互接続装置であり得る。「銅フリー」との用語は、少なくとも９０％、少なくとも９５％、または少なくとも９９％など、完全に、または少なくとも大部分で、銅および／または銅含有化合物が含まれない任意の対象物の特性を表し得る。相互接続装置は、１つまたは複数の構成部分を備え得るが、構成部分の全て、または構成部分の少なくとも大半は、完全に、または少なくとも大部分において、銅および／または銅含有化合物を含み得ない。具体的には、絶縁層、第１の導電層、第２の導電層、および電気接触部の少なくとも１つは、完全に、または少なくとも大部分で、銅および／または銅含有化合物を含み得ない。
【００３３】
さらに、相互接続装置は、可撓性を有する相互接続装置であり得る。「可撓性」との用語は、概して、通常、破損することなく、曲げることが可能な、および、好ましくは可逆的に曲げることが可能な任意の対象物の特性を表し得る。具体的には、可撓性相互接続装置は、１ｍｍの曲げ半径で曲げることが可能であり得る。可撓性相互接続装置は、さらに６０°の事前曲げを有し得るか、または、さらに６０°の事前曲げを支持し得る。さらに、可撓性相互接続装置は、少なくとも１０°の反りを有し得るか、または少なくとも１０°の反りを支持し得る。具体的には、曲げ半径、事前曲げ、および／または反りの適用に限定されないが、曲げ半径、事前曲げ、および／または反りの適用などの曲げ手順が、可撓性相互接続装置に適用され、可撓性相互接続装置が破損する前に少なくとも１００００サイクルで反転され得る。よって、少なくとも１００００サイクル後、可撓性相互接続装置は、その可撓性を失う可能性があり、および／または、破損する可能性がある。相互接続装置は、少なくとも１つの可撓性を有する基板を備え得るし、相互接続装置の電気構成部分は、可撓性基板上に堆積され得る。例として、基板は、ポリイミド材料、たとえばポリイミド箔などの、可撓性の、または変形可能なプラスチック材料を含み得る。それにより、相互接続装置の電気構成部分は、可撓性材料で、および／または剛性材料で作製され得る。具体的には、相互接続装置の絶縁層は、可撓性を有する絶縁層であり得る。しかし、他の実施形態も実現可能であり得る。
【００３４】
本明細書中でさらに使用されるように、「層」との用語は、任意の基板の、具体的には平坦な基板の任意の被覆を表し得る。層は、具体的には、少なくとも２倍、少なくとも５倍、少なくとも１０倍、または少なくとも２０倍もしくはそれ以上だけ、その厚さを超える横方向の延在部分を有し得る。層は、パターニングされていてもパターニングされていなくてもよい。例として、第１および第２の導電層は各々、無関係に、パターニングされていなくてもよく、または各々、第１の導電層および／または第２の導電層が少なくとも１つの接触パッドを備えるようにパターニングされていてもよい。
【００３５】
本明細書中でさらに使用されるように、「絶縁層」との用語は、少なくとも１つの絶縁材料を含み、または、少なくとも部分的に、たとえば、全体的または部分的に、少なくとも１つの絶縁材料で作製された任意の層を表し得る。「絶縁材料」との用語は、内部電荷が自由に流れず、したがって電界の影響下で電流を通すことをほとんど不可能にする任意の材料を表し得る。よって、絶縁材料は、半導体材料または導電材料よりも高い抵抗率を有し得る。具体的には、絶縁層は、はんだマスク、可撓性はんだマスク、ワニス、アクリルワニス、特にＮＰＲ−８０および／またはＩＤ１００、二成分アクリルワニス、硬化剤、特にＰＦ１０／ＩＤ３６からなる群から選択される少なくとも１つの材料を含み得る。好ましい実施形態では、絶縁層は、第１の成分がＮＰＲ−８０を含み、第２の成分がＩＤ１００を含む二成分アクリルワニスと、ＰＦ１０／ＩＤ３６を含む硬化剤とを含む可撓性はんだマスクを備え得る。さらに、絶縁層は、１５μｍ〜３０μｍの厚さを有し得る。
【００３６】
絶縁層は、第１の導電層および第２の導電層の少なくとも一方用の基板を形成し得る。「基板」との用語は、任意の要素であって、その上またはその中に配置された１つまたは複数の要素を担持するのに適した任意の要素を表し得る。例として、基板は、少なくとも２倍、少なくとも５倍、少なくとも１０倍、または少なくとも２０倍もしくはそれ以上だけ、その厚さを超える横方向の延在部分を有する基板などの平坦な基板であり得る。基板は、具体的には、ストリップ形状および／またはバー形状などの細長い形状を有し得る。しかし、他の実施形態も実現可能であり得る。さらに、絶縁層は、絶縁キャリア材料層であり得る。「キャリア材料層」との用語は、任意の層であって、その上に配置された１つもしくは複数の構成部分および／または１つもしくは複数のコーティングを機械的に支持するように構成された任意の層を表し得る。具体的には、絶縁キャリア材料層は、第１の導電層、第２の導電層、および／または電気接触部を機械的に支持するように構成され得る。さらに、絶縁キャリア材料層は、相互接続装置のさらなる層などの、相互接続装置のさらなる構成部分を機械的に支持するように構成され得る。
【００３７】
「第１の導電層」および「第２の導電層」との用語は、命名された要素に番号を付け、または命名された要素をランク付けすることなく、順序を特定することなく、および、いくつかの種類の第１の導電層および第２の導電層が存在し得る可能性を排除することなく、呼び方のみとしてみなし得る。さらに、１つまたは複数の第３の導電層などのさらなる導電層が存在してもよい。「導電層」との用語は、少なくとも１つの導電材料を備え、または、少なくとも１つの導電材料で少なくとも部分的に、たとえば、全体的または部分的に作製された任意の層を表し得る。「導電材料」との用語は、１つまたは複数の方向における電流の流れを可能にする任意の材料を表し得る。それにより、電流は、負電荷の電子、正電荷の正孔、陽イオン、および／または陰イオンの流れによって生成され得る。しかし、他の実施形態も実現可能であり得る。第１の導電層および／または第２の導電層は、金および炭素からなる群から選択される少なくとも１つの材料を含み得る。第１の導電層および第２の導電層は、同じ材料を含んでいてもよいし、または同じ材料で作製されていてもよい。第１の導電層および／または第２の導電層は、０．５オーム〜１０オームの電気抵抗を有し得る。特に、第１の導電層および第２の導電層は、同じ導電率を有し得る。第１の導電層および第２の導電層は、印加される電流および／または電位に対して不活性であり得る。
【００３８】
第１の導電層および／または第２の導電層は、５０ｎｍ〜４μｍ、好ましくは１００ｎｍ〜３μｍ、より好ましくは２００ｎｍ〜２μｍの厚さを有し得る。具体的には、第１の導電層の厚さおよび第２の導電層の厚さは同じであり得る。
【００３９】
第１の導電層および／または第２の導電層は、少なくとも１つのコーティングが絶縁層の少なくとも１つの表面上に形成されるように、絶縁層上に適用され得る。絶縁層は、ポリイミドを含み得る。本明細書中でさらに使用されるように、「コーティング」との用語は、任意の対象物の少なくとも１つの表面に適用される任意の被覆を表し得る。コーティングは、対象物を完全に覆い得るか、または対象物の１つまたは複数の部分のみを覆い得る。コーティングは、湿式化学コーティング、印刷プロセス、ブレードコーティング、スプレープロセス、分注プロセス、タンポン印刷プロセス、直流通電プロセス、スパッタリングプロセス、蒸着プロセス、スクリーン印刷プロセス、ステンシル印刷プロセスなどのコーティングによって適用され得る。
【００４０】
第１の導電層および／または第２の導電層は、絶縁層の少なくとも１つの表面上に形成され得る。第１の導電層および／または第２の導電層は、表面を完全に覆い得るか、または、表面の１つまたは複数の部分のみを覆い得る。さらに、第１の導電層および／または第２の導電層は、連続層として形成され得る。それにより、連続層は、連続層が少なくとも大部分で中断がない１つのユニットとして形成され得る。
【００４１】
第１の導電層および／または第２の導電層は、金を含み得る。絶縁層は、ポリイミドを含み得る。好ましい実施形態では、第１の導電層および／または第２の導電層は、金層であり得るし、絶縁層は、ポリイミド層であり得る。金層は、直流通電プロセスにより、ポリイミド層に適用され得る。この場合、銅層が、ポリイミド層と金層との間に配置され得る。銅層は、接着促進剤としての役割を果たし得る。よって、第１の導電層および／または第２の導電層は、銅層により、絶縁層から完全に、または部分的に分離され得る。代替的に、金層は、スパッタリングプロセスおよび／または蒸着プロセスにより、ポリイミド層に適用され得る。この場合、パラジウム層が、ポリイミド層と金層との間に配置され得る。パラジウム層は、接着促進剤としての役割を果たし得る。よって、第１の導電層および／または第２の導電層は、パラジウム層により、絶縁層から完全に、または部分的に分離され得る。
【００４２】
第１の導電層および／または第２の導電層は、炭素を含み得る。別の好ましい実施形態では、第１の導電層および／または第２の導電層は、炭素層および／または炭素含有層であり得るし、絶縁層は、ポリイミド層であり得る。炭素層および／または炭素含有層は、たとえば、スクリーン印刷プロセスおよび／またはステンシル印刷プロセスにより、ポリイミド層上に直接適用され得る。特に、炭素層は、カーボンペーストとして適用され得るし、炭素含有層は、カーボン含有ペーストとして適用され得る。
【００４３】
上述したように、第２の導電層は、少なくとも絶縁層により、第１の導電層から分離されている。「分離されている」との用語は、互いに離れている、切り離されている、または解離されている２つ以上の任意の要素の特性を表し得る。よって、２つ以上の要素は、互いに距離をおいて配置され得る。具体的には、２つ以上の要素は、互いに直接、接触していなくてもよい。第１の導電層および／または第２の導電層は、絶縁層上に配置され得る。具体的には、第１の導電層および第２の導電層は、絶縁層の少なくとも１つの表面上に配置され得る。絶縁層は、少なくとも１つの第１の絶縁層表面および少なくとも１つの第２の絶縁層表面を備え得るが、第１の絶縁層表面および第２の絶縁層表面は、相互接続装置の延在方向に沿って、および／または絶縁層の延在方向に沿って延在し得る。延在方向とは、具体的には、長手方向軸に沿った長手方向に沿う方向、および／または、相互接続装置の横方向軸に沿う方向を表し得る。第１の絶縁層表面は、絶縁層の第１の絶縁層の側に配置され得るし、第２の絶縁層表面は、絶縁層の第２の絶縁層の側に配置され得る。よって、絶縁層は、第１の導電層と第２の導電層との間に配置され得る。具体的には、絶縁層は、第１の導電層と第２の導電層との間のスペーサーとしての役割を果たすように構成され得る。よって、第１の導電層および第２の導電層は、互いに距離をおいて配置され得る。
【００４４】
「側」との用語は、任意の対象物の一部、具体的には、対象物の外側を形成する、対象物の表面を表し得る。側は、例示的には、１つまたは複数の縁および／または隅により、対象物の他の側から分離され得る。しかし、他の実施形態も実現可能であり得る。具体的には、対象物は、複数の側、たとえば、１つまたは複数の前側、裏側、上面側、底面側、および／または側面側などの２つ以上の側を備え得る。「第１の絶縁層の側」および「第２の絶縁層の側」との用語は、命名された要素に番号を付け、または命名された要素をランク付けすることなく、順序を特定することなく、および、いくつかの種類の第１の絶縁層の側および第２の絶縁層の側が存在し得る可能性を排除することなく、呼び方のみとしてみなし得る。さらに、１つまたは複数の第３の絶縁層の側などのさらなる絶縁層の側が存在し得る。さらに、「第１の絶縁層表面」および「第２の絶縁層表面」との用語は、命名された要素に番号を付け、または命名された要素をランク付けすることなく、順序を特定することなく、および、いくつかの種類の第１の絶縁層表面および第２の絶縁層表面が存在し得る可能性を排除することなく、呼び方のみとしてみなし得る。さらに、１つまたは複数の第３の絶縁層表面などのさらなる絶縁層表面が存在し得る。
【００４５】
さらに、相互接続装置は、少なくとも１つのさらなる層を備え得る。特に、少なくとも１つのさらなる層は、導電層であり得る。特に、相互接続装置は、少なくとも２０、好ましくは少なくとも３０のさらなる層を備え得る。
【００４６】
上述したように、相互接続装置は、少なくとも１つの電気接触部を備える。「電気接触部」との用語は、概して、電流を流すように構成された任意の電気回路の電気回路構成部分などの任意の要素を表し得る。上述したように、および以下にさらに詳細に説明するように、電気接触部は、具体的には、全体的または部分的に少なくとも１つの導電性ペーストで作製され得る。電気接触部は、具体的には、絶縁層の縁部を越えて延在し、それにより、絶縁層の第２の側を第２の導電層により絶縁層の第１の側と電気的に接続し、その第１の側から、第１の層および第２の層の両方を接触させることを可能にし、または、代替的に、電気接触部は、第２の導電層の側の上に、絶縁層を越えて横方向に延在する層を形成し、それにより、第１の側から第１の導電層を電気的に接触させ、さらに、電気接触部の層を介して、第１の側から第２の導電層を電気的に接触させることを可能にし得る。
【００４７】
電気接触部が、さらなる電気接触部と電気的に接続されている場合、電流は、電気接触部からさらなる電気接触部に流れ、逆も同様であり得る。電気接触部が、空気、真空、または絶縁材料などの絶縁間隙により、さらなる電気接触部から分離されている場合、電流は流れない。上述したように、電気接触部は、少なくとも１つの電気接触材料を備える。「電気接触材料」との用語は、１つまたは複数の方向における電流の流れを可能にする任意の材料を表し得る。それにより、電流は、負電荷の電子、正電荷の正孔、陽イオン、および／または陰イオンの流れによって生成され得る。しかし、他の実施形態も実現可能であり得る。よって、電気接触材料は、「導電材料」とも呼ばれ得る。具体的には、電気接触材料は、少なくとも０．０１Ｓ／ｍの、好ましくは少なくとも０．１Ｓ／ｃｍの、より好ましくは少なくとも１．０Ｓ／ｃｍの、および最も好ましくは少なくとも１００Ｓ／ｃｍの導電率を有し得る。例示的には、電気接触材料は、銀、塩化銀、および炭素からなる群から選択される少なくとも１つの材料を含み得る。具体的には、電気接触材料は、銅フリーであり得る。電気接触材料は、１つまたは複数の構成部分を備え得るが、その構成部分の全て、またはその構成部分の少なくとも大半は、完全に、または少なくとも大部分で、銅フリーおよび／または銅含有化合物フリーであり得る。
【００４８】
具体的には、電気接触材料は、導電性ペーストを備え得るか、または、導電性ペーストとして、たとえば、銀ペースト、塩化銀ペースト、またはカーボンペーストの１つまたは複数として、相互接続装置に適用可能であり得る。具体的には、電気接触材料は、乾燥させた導電性ペーストを備え得るか、または乾燥させた導電性ペーストであり得る。「ペースト」との用語は、任意の粘性流体を表し得る。「粘性」との用語は、せん断応力または引張応力によるゆるやかな変形に対する任意の流体の抵抗を表し得る。具体的には、粘性は、異なる速度で移動する流体の少なくとも２つの表面間の相対運動に対抗する流体の特性であり得る。一般に、せん断応力に対する抵抗を有しない流体は、理想または非粘性流体として知られ得る。ゼロ粘性は、超流体内の非常に低い温度においてのみ観測され得る。よって、ペーストは、少なくとも１つの媒体、具体的には少なくとも１つの流体媒体、および、粒子、具体的には固体粒子を含む不均一混合物を表し得る。粒子は、具体的には、１μｍよりも大きいことがあり得る。よって、粒子は、流体媒体の大部分にわたって溶けないが、懸濁させられる。「導電性ペースト」との用語は、少なくとも１つの導電材料を含むペーストを表し得る。導電材料は、具体的には、粒子として、具体的には流体媒体内に分散させられた導電粒子として設けられ得る。よって、導電性ペーストは、電気接触材料の懸濁液および分散液の少なくとも１つを含み得る。具体的には、電気接触材料は、導電性ペーストとして設けられ得る。導電性ペーストは、以下にさらに詳細に説明するように、第１の導電層、絶縁層、および第２の導電層の少なくとも１つの少なくとも一部分の上に適用され得る。具体的には、第１の導電層、絶縁層、および第２の導電層は、少なくとも１つの基板を形成することができ、導電性ペーストは、基板の少なくとも一部分に適用されるように構成される。導電性ペーストの流体媒体は、具体的には１つまたは複数の乾燥プロセスを介して、完全に、または少なくとも大部分で蒸発するように構成されることができ、導電粒子は、基板の一部分上に膜、具体的には連続膜を形成し得る。それにより、連続膜は、連続膜に少なくとも大部分で中断がない１つの単体として形成し得る。具体的には、連続膜は、１つまたは複数の方向における電流の流れが可能にされるように導電粒子が互いに電気的に接触しているように形成され得る。それにより、電流は、負電荷の電子、正電荷の正孔、陽イオン、および／または陰イオンの流れによって生成され得る。しかし、他の実施形態も実現可能であり得る。具体的には、導電粒子は、互いに直接接触していてもよく、たとえば、導電粒子は互いに接触していてもよい。
【００４９】
上述したように、電気接触部は、第２の導電層に電気的に接続される。本明細書中でさらに使用されるように、「電気的に接続される」との用語は、２つ以上の導電要素の間で１つまたは複数の方向における電流の流れが可能にされるように、互いに対して配置される２つ以上の導電要素の特性を表し得る。例示的には、２つ以上の導電要素のうちの１つの要素が、２つ以上の導電要素のうちの少なくとも１つのさらなる要素と直接接触していてもよい。具体的には、要素およびさらなる要素は、互いに接触し得る。しかし、他の実施形態も実現可能であり得る。例示的には、要素およびさらなる要素は、互いに距離をおいて配置されてもよく、第３の要素などの別の導電対象物は、電流の流れが第３の要素を通って、または介して要素とさらなる要素との間で可能にされるように、要素とさらなる要素との間に配置され得る。よって、第３の要素は、連結要素または接続要素とも呼ばれ得る。具体的には、電気接触材料は、第２の導電層の少なくとも１つの表面と直接接触していてもよい。
【００５０】
例示的には、相互接続装置は、少なくとも１つの縁部を有し得る。「縁部」との用語は、固体対象物の少なくとも２つの表面が交わる、任意の対象物の線を表し得る。具体的には、縁部は、多角形、多面体、または高次元ポリトープにおいて２つの頂点を結ぶ線分のタイプを表し得る。多角形では、縁部は、境界上の線分を表し得る。多面体、またはより一般的にポリトープでは、縁部は、２つの表面が交わる線分を表し得る。具体的には、電気接触材料は、相互接続装置の縁部を越えて延在し得る。本明細書中でさらに使用されるように、「縁部を越えて延在する」との用語は、別の対象物の縁部を少なくとも部分的に、たとえば、全体的または部分的に覆う任意の要素の特性を表し得る。具体的には、要素は、縁部において交わる、対象物の少なくとも２つの表面を覆い得るし、要素は、縁部も覆い得る。具体的には、第２の導電層は、絶縁層の第１の絶縁層の側に対向する第２の絶縁層の側に設置され、たとえば、配置され、および／または取り付けられ得る。電気接触部および第１の導電層はいずれも、第１の絶縁層の側に設置され、たとえば、配置され、および／または取り付けられ得る。
【００５１】
電気接触材料は、絶縁層の少なくとも１つの絶縁層表面上に少なくとも部分的に設置され得る。具体的には、絶縁層表面は、上述したように、少なくとも１つの第１の絶縁層表面および少なくとも１つの第２の絶縁層表面を備え得る。第１の絶縁層表面および第２の絶縁層表面は、相互接続装置の延在方向に沿って延在し得る。具体的には、第１の絶縁層表面および第２の絶縁層表面は、互いに平行であり得る。第１の導電層は、第１の絶縁層表面を少なくとも部分的に覆い得る。さらに、第２の導電層は、第２の絶縁層表面を少なくとも部分的に覆い得る。「覆う」との用語は、任意の対象物の表面上に設置され、配置され、および／または取り付けられた場合の任意の材料の状態を表し得る。
【００５２】
さらに、絶縁層は、少なくとも１つの第３の絶縁層表面を備え得る。第３の絶縁層表面は、相互接続装置の延在方向に対して横の、具体的には垂直の方向に沿って延在し得る。具体的には、第３の絶縁層表面は、絶縁層の狭い側を表し得る。「第３の絶縁層表面」との用語は、命名された要素に番号を付け、または命名された要素をランク付けすることなく、順序を特定することなく、および、いくつかの種類の第３の絶縁層表面が存在し得る可能性を排除することなく、呼び方のみとしてみなし得る。さらに、１つまたは複数の第４の絶縁層表面などのさらなる絶縁層表面が存在し得る。電気接触材料は、第３の絶縁層表面を少なくとも部分的に、たとえば、全体的または部分的に覆い得る。具体的には、電気接触材料は、第３の絶縁層表面上に連続膜を形成し得る。
【００５３】
第２の導電層は、第２の絶縁層表面を少なくとも部分的に覆い得る。具体的には、第２の導電層は、絶縁層に面一に適合され得る。それにより、第２の導電層は、第２の絶縁層表面で終端し得る。具体的には、第２の導電層は、相互接続装置の延在方向に対して横に、具体的には垂直に延在する垂直の第２の導電層の表面を有し得る。垂直の第２の導電層の表面は、第３の絶縁層表面に面一に適合され得る。垂直の第２の導電層の表面および第３の絶縁層表面は、線、具体的には直線に沿って配置され得る。垂直の第２の導電層の表面および第３の絶縁層表面は、相互接続装置の狭い側を形成し得るか、または相互接続装置の狭い側の一部であり得る。具体的には、電気接触材料は、垂直の第２の導電層の表面を少なくとも部分的に覆い得る。
【００５４】
さらに、電気接触材料は、第１の絶縁層表面を少なくとも部分的に、好ましくは部分的に覆い得る。第１の導電層および電気接触材料はいずれも、第１の絶縁層表面を覆い得る。具体的には、第１の導電層は、第１の絶縁層表面の第１のセクションを覆い、電気接触材料は、第１の絶縁層表面の第２のセクションを覆い得る。第１のセクションおよび第２のセクションは、具体的には、互いに別個であり得るし、たとえば、第１のセクションおよび第２のセクションは、第１の絶縁層表面の異なるセクションまたは部分を表し得る。第１のセクションおよび第２のセクションは、互いに距離をおいて配置される。具体的には、第１のセクションおよび第２のセクションは、互いに重なり合わないか、または互いに接触しなくてもよい。しかし、他の実施形態も実現可能であり得る。具体的には、第１の導電層および電気接触材料は、間隙が第１の絶縁層表面上に形成されるように互いに対して方向付けられ得る。「間隙」との用語は、任意の対象物の、または２つ以上の任意の対象物の間の空きスペースを表し得る。具体的には、間隙は、対象物の、または２つ以上の対象物の間の窪みもしくは空洞を有し得るか、または窪みとして、もしくは空洞として具現化され得る。例示的には、間隙は、少なくとも、第１の絶縁層表面と、相互接続装置の延在方向に対して横に、具体的には垂直に方向付けられた少なくとも１つの第１の導電層の表面と、相互接続装置の延在方向に対して横に、具体的には垂直に方向付けられた電気接触材料の少なくとも１つの電気接触材料表面とによって形成され得る。電気接触材料表面および第１の導電層の表面は、互いに平行であり得る。しかし、他の実施形態も実現可能であり得る。間隙は、矩形形状、具体的には方形形状を有する。
【００５５】
上述したように、電気接触部は、絶縁層に対してなど、第２の導電層に対向する、相互接続装置の一方側から接触可能である。相互接続装置は、少なくとも１つの第１の相互接続装置の側および少なくとも１つの第２の相互接続装置の側を備え得る。「第１の相互接続装置の側」および「第２の相互接続装置の側」との用語は、命名された要素に番号を付け、または命名された要素をランク付けすることなく、順序を特定することなく、および、いくつかの種類の第１の相互接続装置の側および第２の相互接続装置の側が存在し得る可能性を排除することなく、呼び方のみとしてみなし得る。さらに、１つまたは複数の第３の相互接続装置の側などのさらなる相互接続装置の側が存在し得る。第１の相互接続装置の側は、第１の導電層によって少なくとも部分的に覆われた、相互接続装置の側を表し得る。第２の相互接続装置の側は、第２の導電層によって少なくとも部分的に覆われた、相互接続装置の側を表し得る。よって、電気接触部は、第１の相互接続装置の側から接触可能であり得る。しかし、他の実施形態も実現可能であり得る。
【００５６】
上述したように、電気接触部は、マイクロビアフリーで設けられる。垂直相互接続アクセスとも呼ばれる「ビア」との用語は、相互接続装置またはプリント回路基板などの電気回路において、１つまたは複数の隣接する層の平面を通過する、層間の任意の電気接続を表し得る。具体的には、ビアは、相互接続装置を通る孔によって電気的に接続され得る、相互接続装置の異なる層上の、対応する位置、たとえば、対向する位置における少なくとも２つのパッドを備え得る。孔は、電気めっきによって導電性を有するようにされ得るか、または、チューブまたはリベットで並べられ得る。さらに、「マイクロビア」との用語は、高密度多層プリント回路基板におけるビアを表し得て、先端パッケージの高い入力密度および／または出力密度を収容するように構成され得る。マイクロビアは、ブラインドビアおよび／またはベリードビアとして具現化され得る。ブラインドビアは、プリント回路基板の一方側にのみ露出され得る。さらに、ベリードビアは、プリント回路基板のいずれの表面上にも露出させられることなく、内部層を接続するよう構成され得る。「マイクロビアフリー」との用語は、概して、完全に、または大部分で、ビア、具体的にはマイクロビア、さらに具体的にはベリードビアおよび／またはブラインドビアが存在しない、プリント回路基板などの任意の相互接続装置の特性を表し得る。よって、具体的には、相互接続装置は、ビア、具体的にはマイクロビア、さらに具体的にはベリードビアおよび／またはブラインドビアを全く備えていないことがあり得る。
【００５７】
上述したように、第２の部分は、少なくとも１つの電気コネクタを備え得る。「電気コネクタ」との用語は、別の電気装置と電気的に接触するように構成された任意の電気装置を表し得る。例として、電気コネクタは、電気接触パッド、電気ばね接触部、電気接触ピンの１つまたは複数であり得るか、または電気接触パッド、電気ばね接触部、電気接触ピンの１つまたは複数を備え得る。他のタイプの電気接触部も実現可能である。電気コネクタは、はんだ付け、ワイヤボンディング、フリップチップ実装、またはプローブ針によって電気的に接触可能であり得る。しかし、他の実施形態も実現可能であり得る。電気コネクタは、具体的には、少なくとも１つの金属などの導電材料を含み得る。電気コネクタは、導電路、具体的には、第２の部分の基板に適用された導電路の端部を形成し得るか、または、導電路、具体的には、第２の部分の基板に適用された導電路の端部に接続され得る。電気コネクタは、具体的には第２の部分の基板に適用された、丸い、または矩形の、または丸くしたパッドを有し得るか、または丸い、または矩形の、または丸くしたパッドであり得る。しかし、他の実施形態も実現可能であり得る。付加的にまたは代替的に、電気コネクタは、電気接触部上などの別の電気要素上に、たとえば、導電性ペーストの表面領域上に、電気コネクタと電気要素との間の電気接続を生成するために、押し当てられ得るばね接触部または接触ピンを備え得る。
【００５８】
「嵌合する」との用語は、２つ以上の要素を互いに接続する、および／または連結するプロセスを表し得る。２つ以上の要素は、互いに近接させられ、形状嵌め接続およびまたは圧力嵌め接続によるなど、互いに取り付けられ、具体的には固定して取り付けられ得る。例示的には、第１の部分および第２の部分は、少なくとも１つの接着材料を介して互いに取り付けられ得る。しかし、他の実施形態も実現可能であり得る。第２の部分の電気コネクタおよび電気接続部は、１ｍｍ2〜５０ｍｍ2の、好ましくは５ｍｍ2〜２０ｍｍ2の、最も好ましくは１５ｍｍ2の重なり面積において重なり合い得る。付加的にまたは代替的に、電気コネクタは、電気接触部上に、たとえば、電気接触部の表面領域上に押し当てられ得るばね接触部もしくは接触ピンであり得るか、または、ばね接触部もしくは接触ピンを備え得る。
【００５９】
上述したように、第２の部分は、第１の部分と嵌合し、第２の部分の電気接触パッドと第１の導電層との間の電気接続を確立し、電気接触部を介して、電気コネクタと第２の導電層との間の電気接続を確立するように構成される。よって、上述したように、電気コネクタは、第１の導電層との少なくとも１つの第１の電気接続を形成する少なくとも１つの第１の電気コネクタを備え、第２の導電層との少なくとも１つの第２の電気接続を形成する少なくとも１つの第２の電気コネクタをさらに備え得る。第１および第２の電気接続は、第１の導電層を有する絶縁層の側からなど、絶縁層の同じ側から行なわれ得る。
【００６０】
「電気接続」との用語は、２つ以上の要素間の電流の流れが１つまたは複数の方向において可能にされるような、２つ以上の導電要素間の接続を表し得る。よって、２つ以上の要素は、互いに電気的に接触していてもよい。
【００６１】
本発明のさらなる態様において、医療装置を製造するための方法を開示する。方法は、独立請求項に記載した、および、以下に列挙した方法工程を含む。方法工程は、所定の順序で行なわれ得る。しかし、方法工程の他の順序も実現可能である。さらに、方法工程の１つまたは複数は、並列に、および／または時間的に重複するように行なわれ得る。さらに、方法工程の１つまたは複数は、反復して行なわれ得る。さらに、列挙していないさらなる方法工程も存在し得る。
【００６２】
方法は、以下の工程：
ａ）少なくとも１つの絶縁層であって、その上に配置された少なくとも１つの第１の導電層および少なくとも１つの第２の導電層を有する少なくとも１つの絶縁層を設けることにより、医療装置の少なくとも１つの第１の部分を設ける工程であって、第２の導電層が、少なくとも絶縁層により、第１の導電層から分離されている、少なくとも１つの第１の部分を設ける工程、
ｂ）少なくとも１つの電気接触部を設ける工程であって、電気接触部が、少なくとも１つの電気接触材料、具体的には、少なくとも１つの導電性ペーストまたは少なくとも１つの導電性ライトペーストを備え、電気接触部は、第２の導電層に対向する、第１の部分の一方側から接触可能であるように配置され、電気接触部が、マイクロビアフリーで設けられる、少なくとも１つの電気接触部を設ける工程、
ｃ）電気接触部を第２の導電層に電気的に接続する工程、
ｄ）医療装置の少なくとも１つの第２の部分を設ける工程であって、第２の部分が、少なくとも１つの電気コネクタを有する、少なくとも１つの第２の部分を設ける工程、および
ｅ）第２の部分を第１の部分と嵌合させ、第２の部分の電気コネクタと第１の導電層との間の電気接続を確立し、電気接触部を介して、電気コネクタと第２の導電層との間の電気接続を確立する工程
を含む。
【００６３】
工程ｂ）では、導電性ペーストなどの電気接触部は、絶縁層上に、具体的には絶縁層の１つの部分上に直接配置され得る。しかし、付加的にまたは代替的に、電気接触部、たとえば、導電性ペーストの層はまた、絶縁層と別個の、医療装置の少なくとも１つの支持面上に配置され、それにより、たとえば、上述した層を形成し得る。
【００６４】
具体的には、導電性ペーストは、導電性ペーストが第２の導電層と直接接触するように、絶縁層の部分上に配置され得る。さらに、導電性ペーストは、導電性ペーストが絶縁層を少なくとも部分的に覆うように、絶縁層の部分上に配置され得る。さらに、導電性ペーストは、導電性ペーストおよび第１の導電層が互いに対して方向付けられるように、および、第１の導電層と導電性ペーストとの間の間隙が現れるように、絶縁層の部分上に配置され得る。さらに、導電性ペーストは、導電性ペーストが絶縁層の少なくとも１つの縁部を少なくとも部分的に覆うように、絶縁層の部分上に配置され得る。導電性ペーストは、導電性ペーストが絶縁層を少なくとも部分的に覆うように、および、導電性ペーストが第２の導電層、好ましくは、絶縁層の延在方向に対して垂直に延在する、第２の導電層の少なくとも１つの第２の導電層の表面を少なくとも部分的に覆うように、絶縁層の部分上に配置され得る。
【００６５】
導電性ペーストは、銀、塩化銀、および炭素からなる群から選択される少なくとも１つの材料を含み得る。材料は、少なくとも１つの溶媒、好ましくは少なくとも１つの有機溶媒内で分散され得る。溶媒は、ジエチレングリコールモノブチルエーテル、プロパノール、エタノール、およびテトラヒドロフランからなる群から選択され得る。導電性ペーストは、具体的には、導電材料が相互接続装置に適用される前に、遠心分離、好ましくは、真空遠心分離され得る。少なくとも１つの撹拌器および／または少なくとも１つの撹拌プロセスを使用した混合手順を含む他の混合手順も実現可能である。導電性ペーストは、少なくとも１つの投与針を介して適用され得る。しかし、他の方法も実現可能であり得る。
【００６６】
さらに、方法は、少なくとも１つの乾燥工程であって、導電性ペーストが、少なくとも大部分乾燥させられる、少なくとも１つの乾燥工程を含み得る。それにより、電気接触材料が形成され得る。乾燥工程は、乾燥キャビネット内で行なわれ得る。例示的には、絶縁層は、５０℃〜１００℃、好ましくは７０℃〜９０℃、より好ましくは８０℃の温度で乾燥させられ得る。さらに、絶縁層は、１０時間〜４８時間、好ましくは２０時間〜３６時間、より好ましくは２４時間、乾燥させられ得る。
【００６７】
方法は、具体的には、工程ｂ）およびｃ）において、電気接触部が、絶縁層の少なくとも１つの縁部を越えて延在するように配置されるように、実施され得る。
【００６８】
付加的にまたは代替的に、上述したように、方法は、具体的には、工程ｂ）において、導電性ペーストの層、または、導電性ペーストを、たとえば支持体、具体的には平坦な支持体上に適用することによって作製される層などの層を形成するよう電気接触部が配置されるように、実施され得る。工程ｃ）では、第１の部分は、第２の導電層がその層に電気的に接触するように、その層と接触させられ得る。
【００６９】
その層は、具体的には、絶縁層を越えて横方向に延材し得る。よって、例として、第１の導電層をその上に有する絶縁層の第１の側の上面視において、電気接触部によって形成された層の少なくとも１つの部分が、絶縁層の下から突出して、視認可能であり得る。
【００７０】
第１の導電層と、絶縁層の下から突出する層の部分との両方が上面視において視認可能であるこの構成では、第１の導電層と、絶縁層の下から突出する層の部分との両方は、絶縁層を通って垂直方向の断面視においてこれらの要素が異なる深さにあり得る場合でも、電気コネクタによって電気的に接触させられ得る。
【００７１】
よって、第２の部分の少なくとも１つの電気コネクタは、第１の電気コネクタを備え得る。工程ｅ）は、第１の導電層を第１の電気コネクタと電気的に接触させる工程を含み得る。さらに、第２の部分の少なくとも１つの電気コネクタは、第２の電気コネクタを備え得る。工程ｅ）は、絶縁層を越えて横方向に延在する層の部分を介して、第２の導電層を第２の電気コネクタと電気的に接触させる工程を含み得る。
【００７２】
電気接触部の層は、上述したように、少なくとも１つの支持体上に導電性ペーストを被覆することによって形成され得る。少なくとも１つの支持体は、例として、被検体センサーを医療装置と相互接続するホルダーまたはプラグなどの、医療装置の一部でもあり得る。例として、支持体は、全体的または部分的に絶縁材料で作製され得る。
【００７３】
提案された方法および装置は、公知の装置および方法に対する多くの利点を提供する。通常、ビア、具体的にはマイクロビアが適用され得る。これは、多数の製造工程につながり得る。さらに、一般的な医療装置は、銅を含み得る。具体的には、ビアは、銅により作製され得るか、または銅を含み得る。しかし、銅を含む要素は、ユーザーまたは患者に対して危険をもたらし得る。対照的に、本発明による医療装置は、電気接触部を備える。電気接触部は、導電性ペーストとして、第１の導電層、第２の導電層、および絶縁層を備える絶縁層に設けられ得る、および／または、適用され得る。電気接触部は、相互接続装置の、具体的にはプリント回路基板の両面接触を可能にし得る。導電性ペーストは、相互接続装置の、具体的にはプリント回路基板の上方側への電気接触の提供を可能にし、底部側に配置された導電層のマイクロビアフリー接触を可能にし得る。電気接触材料は、銅フリーであり得る。さらに、相互接続装置、たとえば、相互接続装置の要素は、銅フリーであり得る。これは、ユーザーまたは患者に対する危険を低減し得る。さらに、いくつかの製造工程が削減され得る。これは、生産コストの低減につながり、製造時間を低減し得る。
【００７４】
本発明の結果をまとめれば、以下の実施形態が好ましい。
【００７５】
実施形態１：医療装置であって、医療装置は：
少なくとも１つの第１の部分であって、第１の部分が、少なくとも１つの相互接続装置を備え、相互接続装置が、
少なくとも１つの第１の導電層、
少なくとも１つの絶縁層、および
少なくとも１つの第２の導電層であって、第２の導電層が、少なくとも絶縁層により、第１の導電層から分離されている、少なくとも１つの第２の導電層
を備える、少なくとも１つの第１の部分と、
少なくとも１つの電気接触部であって、電気接触部が、少なくとも１つの電気接触材料を備え、電気接触部が、第２の導電層に電気的に接続され、電気接触部が、第２の導電層に対向する、相互接続装置の一方側から接触可能であり、電気接触部が、マイクロビアフリーで設けられる、少なくとも１つの電気接触部と、
少なくとも１つの第２の部分であって、第２の部分が、少なくとも１つの電気コネクタを備え、第２の部分が、第１の部分と嵌合し、第２の部分の電気コネクタと第１の導電層との間の電気接続を確立し、電気接触部を介して、電気コネクタと第２の導電層との間の電気接続を確立するように構成される、少なくとも１つの第２の部分と
を備える医療装置。
【００７６】
実施形態２：電気接触材料は、導電性ペーストを備え、または、導電性ペーストとして相互接続装置に適用可能である、実施形態１に記載の医療装置。
【００７７】
実施形態３：導電性ペーストは、電気接触材料の溶液および分散液の少なくとも１つを含む、実施形態２に記載の医療装置。
【００７８】
実施形態４：電気接触材料は、銅フリーである、実施形態１〜３のいずれか１つに記載の医療装置。
【００７９】
実施形態５：電気接触材料は、銀、塩化銀、および炭素からなる群から選択される少なくとも１つの材料を含む、実施形態１〜４のいずれか１つに記載の医療装置。
【００８０】
実施形態６：電気接触材料は、少なくとも０．１Ｓ／ｃｍの、好ましくは少なくとも１．０Ｓ／ｃｍの、最も好ましくは少なくとも１００Ｓ／ｃｍの導電率を有する、実施形態１〜５のいずれか１つに記載の医療装置。
【００８１】
実施形態７：電気接触材料は、第２の導電層の少なくとも１つの表面と直接接触している、実施形態１〜６のいずれか１つに記載の医療装置。
【００８２】
実施形態８：相互接続装置が、少なくとも１つの縁部を有し、電気接触材料が、相互接続装置の縁部を越えて延在する、実施形態１〜７のいずれか１つに記載の医療装置。
【００８３】
実施形態９：第１の導電層は、絶縁層の第１の絶縁層の側に配置され、第２の導電層は、絶縁層の第２の絶縁層の側に配置され、第２の絶縁層の側は、第１の側に対向する、実施形態８に記載の医療装置。
【００８４】
実施形態１０：電気接触部および第１の導電層はいずれも、第１の絶縁層の側に少なくとも部分的に配置される、実施形態９に記載の医療装置。
【００８５】
実施形態１１：電気接触材料は、絶縁層の少なくとも１つの絶縁層表面上に少なくとも部分的に配置される、実施形態１〜１０のいずれか１つに記載の医療装置。
【００８６】
実施形態１２：絶縁層表面は、少なくとも１つの第１の絶縁層表面、少なくとも１つの第２の絶縁層表面、および少なくとも１つの第３の絶縁層表面を備え、第１の絶縁層表面および第２の絶縁層表面は、相互接続装置の延在方向に沿って延在し、第３の絶縁層表面は、相互接続装置の延在方向に垂直の方向に沿って延在する、実施形態１１に記載の医療装置。
【００８７】
実施形態１３：電気接触材料は、第３の絶縁層表面を少なくとも部分的に覆う、実施形態１２に記載の医療装置。
【００８８】
実施形態１４：第２の導電層は、第２の絶縁層表面を少なくとも部分的に覆う、実施形態１２および１３のいずれか１つに記載の医療装置。
【００８９】
実施形態１５：第２の導電層は、相互接続装置の少なくとも１つの縁部上の絶縁層に面一に適合される、実施形態１２〜１４のいずれか１つに記載の医療装置。
【００９０】
実施形態１６：第２の導電層は、相互接続装置の延在方向に対して垂直に方向付けられた少なくとも１つの垂直の第２の導電層の表面を形成する、実施形態１２〜１５のいずれか１つに記載の医療装置。
【００９１】
実施形態１７：第２の導電層の表面は、第３の絶縁層表面に面一に適合される、実施形態１６に記載の医療装置。
【００９２】
実施形態１８：電気接触材料は、垂直の第２の導電層の表面を少なくとも部分的に覆う、実施形態１６および１７のいずれか１つに記載の医療装置。
【００９３】
実施形態１９：第１の導電層は、第１の絶縁層表面を少なくとも部分的に覆う、実施形態１２〜１８のいずれか１つに記載の医療装置。
【００９４】
実施形態２０：電気接触材料は、第１の絶縁層表面を少なくとも部分的に覆う、実施形態１２〜１９のいずれか１つに記載の医療装置。
【００９５】
実施形態２１：第１の導電層および電気接触材料は、間隙が第１の絶縁層表面上に形成されるように、互いに対して方向付けられる、実施形態２０に記載の医療装置。
【００９６】
実施形態２２：間隙は、少なくとも、第１の絶縁層表面と、相互接続装置の延在方向に対して垂直の方向に方向付けられた少なくとも１つの第１の導電層の表面と、相互接続装置の延在方向に対して垂直に方向付けられた電気接触材料の少なくとも１つの電気接触材料表面とによって形成される、実施形態２１に記載の医療装置。
【００９７】
実施形態２３：電気接触材料表面および第１の導電層の表面は、互いに略平行である、実施形態２２に記載の医療装置。
【００９８】
実施形態２４：間隙は、矩形形状、具体的には方形形状を有する、実施形態２２および２３のいずれか１つに記載の医療装置。
【００９９】
実施形態２５：第１の導電層は、第１の絶縁層表面上に少なくとも部分的に配置され、電気接触材料は、第１の絶縁層表面上に部分的に配置される、実施形態１〜２４のいずれか１つに記載の医療装置。
【０１００】
実施形態２６：電気接触部が、層を形成し、第１の部分は、第２の導電層が層に電気的に接触するように層と接触し、層は、第１の部分を越えて横方向に延在し、第２の部分の電気コネクタは、第１の導電層に接触する少なくとも１つの第１の電気コネクタを備え、電気コネクタは、第１の部分を越えて横方向に延在する電気接触部の層の一部分を介して第２の導電層に接触する少なくとも１つの第２の電気コネクタをさらに備える、実施形態１〜２５のいずれか１つに記載の医療装置。
【０１０１】
実施形態２７：第２の部分の電気コネクタは、プラグを備え、少なくとも１つの第１の電気コネクタおよび少なくとも１つの第２の電気コネクタは、プラグの一部であり、互いに隣に配置され、第１の電気コネクタおよび第２の電気コネクタは、同じ側から第１の部分に電気的に接触する、実施形態２６に記載の医療装置。
【０１０２】
実施形態２８：医療装置は、以下の構成：
電気接触部の層、
電気接触部の層と電気的に接触する第２の導電層、
絶縁層、
第１の導電層
を与えられた順序において備える、実施形態２６および２７のいずれか１つに記載の医療装置であって、具体的には、実施形態９または１０のさらなる特徴と関連しない医療装置。
【０１０３】
実施形態２９：相互接続装置は、銅フリーの相互接続装置である、実施形態１〜２８のいずれか１つに記載の医療装置。
【０１０４】
実施形態３０：相互接続装置は、回路基板、好ましくはプリント回路基板である、実施形態１〜２９のいずれか１つに記載の医療装置。
【０１０５】
実施形態３１：相互接続装置は、可撓性を有する相互接続装置である、実施形態１〜３０のいずれか１つに記載の医療装置。
【０１０６】
実施形態３２：第１の導電層および／または第２の導電層は、５０ｎｍ〜４μｍ、好ましくは１００ｎｍ〜３μｍ、より好ましくは２００ｎｍ〜２μｍの厚さを有する、実施形態１〜３１のいずれか１つに記載の医療装置。
【０１０７】
実施形態３３：第１の導電層および／または第２の導電層は、金および炭素からなる群から選択される少なくとも１つの材料を含む、実施形態１〜３２のいずれか１つに記載の医療装置。
【０１０８】
実施形態３４：第１の導電層および／または第２の導電層は、０．５オーム〜１０オームの電気抵抗を有する、実施形態１〜３３のいずれか１つに記載の医療装置。
【０１０９】
実施形態３５：絶縁層は、絶縁キャリア材料層である、実施形態１〜３４のいずれか１つに記載の医療装置。
【０１１０】
実施形態３６：絶縁層は、第１の導電層、第２の導電層の少なくとも１つに対する基板を形成する、実施形態１〜３５のいずれか１つに記載の医療装置。
【０１１１】
実施形態３７：絶縁層は、はんだマスク、可撓性はんだマスク、ワニス、アクリルワニス、特にＮＰＲ−８０および／またはＩＤ１００、二成分アクリルワニス、硬化剤、特にＰＦ１０／ＩＤ３６からなる群から選択される少なくとも１つの材料を含む、実施形態１〜３６のいずれか１つに記載の医療装置。
【０１１２】
実施形態３８：絶縁層は、１５μｍ〜３０μｍの厚さを有する、実施形態１〜３７のいずれか１つに記載の医療装置。
【０１１３】
実施形態３９：第１の部分は、センサーユニットであり、第２の部分は、センサー電子ユニット、具体的には評価ユニットである、実施形態１〜３８のいずれか１つに記載の医療装置。
【０１１４】
実施形態４０：センサーユニットは、少なくとも１つの埋込可能なセンサーユニットを備え、埋込可能なセンサーユニットは、ユーザーの体組織内に埋め込むように構成された少なくとも１つの埋込可能な部分を備える、実施形態１〜３９のいずれか１つに記載の医療装置。
【０１１５】
実施形態４１：医療装置は、ユーザーの少なくとも１つの身体機能をモニタリングするように構成される、実施形態４０に記載の医療装置。
【０１１６】
実施形態４２：センサーユニットは、少なくとも２つのセンサー電極を備え、少なくとも２つのセンサー電極は、ユーザーの体組織内の被検体の少なくとも１つの濃度を電気化学的に判定するように構成される、実施形態４０および４１のいずれか１つに記載の医療装置。
【０１１７】
実施形態４３：第２の部分の電気コネクタと電気接触部とは、１ｍｍ2〜５０ｍｍ2の、好ましくは５ｍｍ2〜２０ｍｍ2の、最も好ましくは１５ｍｍ2の重なり面積において重なり合う、実施形態１〜４２のいずれか１つに記載の医療装置。
【０１１８】
実施形態４４：相互接続装置は、少なくとも１つの更なる層を備える、実施形態１〜４３のいずれか１つに記載の医療装置。
【０１１９】
実施形態４５：医療装置、具体的には、実施形態１〜４４のいずれか１つに記載の医療装置を製造するための方法であって、方法は、以下の工程：
ａ）少なくとも１つの絶縁層であって、その上に配置された少なくとも１つの第１の導電層および少なくとも１つの第２の導電層を有する少なくとも１つの絶縁層を設けることにより、医療装置の少なくとも１つの第１の部分を設ける工程であって、第２の導電層が、少なくとも絶縁層により、第１の導電層から分離されている、少なくとも１つの第１の部分を設ける工程、
ｂ）少なくとも１つの電気接触部を設ける工程であって、電気接触部が、少なくとも１つの電気接触材料、具体的には、少なくとも１つの導電性ペーストまたは少なくとも１つの導電性ライトペーストを備え、電気接触部は、第２の導電層に対向する、第１の部分の一方側から接触可能であるように配置され、電気接触部が、マイクロビアフリーで設けられる、少なくとも１つの電気接触部を設ける工程、
ｃ）電気接触部を第２の導電層に電気的に接続する工程、
ｄ）医療装置の少なくとも１つの第２の部分を設ける工程であって、第２の部分が、少なくとも１つの電気コネクタを有する、少なくとも１つの第２の部分を設ける工程、および
ｅ）第２の部分を第１の部分と嵌合させ、第２の部分の電気コネクタと第１の導電層との間の電気接続を確立し、電気接触部を介して、電気コネクタと第２の導電層との間の電気接続を確立する工程
を含む方法。
【０１２０】
実施形態４６：電気接触材料、具体的には導電性ペーストが、第２の導電層と直接接触させられる、実施形態４５に記載の方法。
【０１２１】
実施形態４７：電気接触材料は、導電性ペーストが絶縁層を部分的に覆うように、絶縁層上に配置される、実施形態４６に記載の方法。
【０１２２】
実施形態４８：電気接触材料は、第１の導電層と導電性ペーストとの間の間隙が現れるよう電気接触材料および第１の導電層が互いに対して方向付けられるように、絶縁層の一部分上に配置される、実施形態４６および４７のいずれか１つに記載の方法。
【０１２３】
実施形態４９：電気接触材料は、電気接触材料が絶縁層の少なくとも１つの縁部を少なくとも部分的に覆うように、絶縁層の一部分上に配置される、実施形態４６〜４８のいずれか１つに記載の方法。
【０１２４】
実施形態５０：電気接触材料は、電気接触材料が絶縁層を少なくとも部分的に覆うように、および電気接触材料が第２の導電層を、好ましくは、絶縁層の延在方向に対して垂直の方向に延在する、第２の導電層の少なくとも１つの第２の導電層の表面を少なくとも部分的に覆うように、絶縁層の一部分上に配置される、実施形態４６〜４９のいずれか１つに記載の方法。
【０１２５】
実施形態５１：電気接触材料、具体的には導電性ペーストは、銀、塩化銀、および炭素からなる群から選択される少なくとも１つの材料を含み、材料は、少なくとも１つの溶媒、好ましくは少なくとも１つの有機溶媒内で分散される、実施形態４５〜５０のいずれか１つに記載の方法。
【０１２６】
実施形態５２：溶媒は、ジエチレングリコールモノブチルエーテルからなる群から選択される、実施形態５１に記載の方法。
【０１２７】
実施形態５３：導電性材料が相互接続装置に適用される前に、導電性ペーストが、遠心分離される、好ましくは、真空遠心分離される、実施形態４５〜５２のいずれか１つに記載の方法。
【０１２８】
実施形態５４：導電性ペーストが、少なくとも１つの投与針によって適用される、実施形態４５〜５３のいずれか１つに記載の方法。
【０１２９】
実施形態５５：工程ｂ）およびｃ）において、電気接触部が、絶縁層の少なくとも１つの縁部を越えて延在するように配置される、実施形態４５〜５４のいずれか１つに記載の方法。
【０１３０】
実施形態５６：工程ｂ）において、電気接触部は、層を形成するように配置され、工程ｃ）において、第１の部分は、第２の導電層が層に電気的に接触するように層と接触させられ、層は、絶縁層を越えて横方向に延在する、実施形態４５〜５５のいずれか１つに記載の方法。
【０１３１】
実施形態５７：第２の部分の少なくとも１つの電気コネクタは、第１の電気コネクタを備え、工程ｅ）は、第１の導電層を第１の電気コネクタと電気的に接触させる工程を含み、第２の部分の少なくとも１つの電気コネクタは、第２の電気コネクタをさらに備え、工程ｅ）は、絶縁層を越えて横方向に延在する層の一部分を介して、第２の導電層を第２の電気コネクタと電気的に接触させる工程を含む、実施形態５６に記載の方法。
【０１３２】
実施形態５８：電気接触部の層は、少なくとも１つの支持体上に、具体的には、少なくとも１つの電気絶縁支持体上に、導電性ペーストを被覆することによって形成される、実施形態５６および５７のいずれか１つに記載の方法。
【図面の簡単な説明】
【０１３３】
本発明のさらなる任意の特徴および実施形態は、好ましくは従属請求項と共に、好ましい実施形態の後の説明においてさらに詳細に開示される。その中で、それぞれの任意の特徴は、当業者が分かるように、単独でも、いずれの任意の実現可能な組み合わせにおいても実現され得る。本発明の範囲は、好ましい実施形態によって限定されるものでない。実施形態は、図面において概略的に表される。その中で、これらの図面における同一の参照符号は、同一の、または機能的に同等の構成要素を表す。
【０１３４】
【図１】断面図において医療装置の例示的な実施形態を示す。
【図２】断面図において、第１の部分、および縁部を越えている電気接触部の第１の例示的な実施形態を示す。
【図３Ａ】上面図において、第１の部分、および第１の部分の下に平面層を形成している電気接触部の第２の例示的な実施形態を示す。
【図３Ｂ】断面図において、第１の部分、および第１の部分の下に平面層を形成している電気接触部の第２の例示的な実施形態を示す。
【図３Ｃ】底面図において、第１の部分の絶縁層の第２の例示的な実施形態を示す。
【図４Ａ】医療装置を製造するための例示的な方法を示す。
【図４Ｂ】医療装置を製造するための例示的な方法を示す。
【図４Ｃ】医療装置を製造するための例示的な方法を示す。
【発明を実施するための形態】
【０１３５】
図１は、医療装置１１０の例示的な実施形態を断面図で示す。医療装置１１０は、少なくとも１つの第１の部分１１２および少なくとも１つの第２の部分１１４を備える。
【０１３６】
例示的には、医療装置１１０の第１の部分１１２はセンサーユニット１１６であり得る。センサーユニット１１６は、具体的には、ユーザーまたは患者の体組織への挿入のために構成された経皮センサーユニット１１８であり得る。したがって、センサーユニット１１６は、埋込可能な部分１２２とも呼ばれ得る少なくとも１つの生体内遠位端１２０、および少なくとも１つの生体外近位端１２４を備え得る。生体外近位端１２４は、体組織外に留まるように構成され得る。
【０１３７】
第２の部分１１４は、センサー電子ユニット１２６、具体的には評価ユニット１２８であり得る。センサー電子ユニット１２６は、測定値を取得し、および、任意的には、測定値を全体的または部分的に評価するなど、データを処理するように構成され得る。第２の部分１１４は、少なくとも１つの電気コネクタ１３０、好ましくは複数の電気コネクタ１３０を備える。以下にさらに詳細に説明するように、第２の部分１１４は、第１の部分１１２と嵌合し、第１の部分１１２の第１の導電層１４６と、第２の部分１１４の電気コネクタ１３０との間の電気接続を確立し、電気接触部１３２を介して、第１の部分１１２の第２の導電層１５０と電気コネクタ１３０との間の電気接続をさらに確立するように構成される。
【０１３８】
第１の部分１１２の少なくとも一部、具体的には生体外近位端１２４、および第２の部分１１４は、少なくとも１つのハウジング１３４内に受容され得る。ハウジング１３４は、ユーザーまたは患者の皮膚部位への取り付けのために構成された少なくとも１つの平坦面１３６を備え得る。したがって、平坦面は、具体的には、接着面１３８であり得る。ハウジング１３４はさらに、センサーユニット１１６用の少なくとも１つの貫通孔１４０を有し得る。
【０１３９】
図２は、第１の部分１１２の第１の例示的な実施形態を断面図で示す。第１の部分１１２は、図１による第１の部分１１２に少なくとも部分的に対応し得る。よって、上記図１の説明を参照することができる。なお、この第１の例示的な実施形態では、電気接続は、縁部を越えて行われる。代替的な概念は、図３Ａ〜４Ｃに関して、および図３Ａ〜４Ｃを参照して以下にさらに詳細に説明する。
【０１４０】
第１の部分１１２は、少なくとも１つの相互接続装置１４２、具体的には、少なくとも１つのプリント回路基板１４４を備える。相互接続装置１４２は、具体的には、銅フリーであり得る。相互接続装置１４２は、少なくとも１つの第１の導電層１４６と、少なくとも１つの絶縁層１４８と、少なくとも１つの第２の導電層１５０とを備える。さらに、接触目的で、図２に示す構成は、電気接触部１３２を備え、その機能は以下にさらに詳細に説明する。
【０１４１】
絶縁層１４６は、第１の導電層１４６、第２の導電層１５０、および、任意的に、電気接触部１３２を機械的に支持するように構成され得る少なくとも１つの絶縁キャリア材料層１５２により作製され得る。絶縁層１４６は、全体的または部分的に電気的絶縁材料により作製され、例として、１５〜３０μｍの厚さｔiを有し得る。
【０１４２】
例として、第１の導電層１４６および第２の導電層１５０は、絶縁層１４６の両側に配置された接触パッドであり得るか、または接触パッドを備え得る。生体内遠位端１２０および／または埋込可能な部分１２２において、センサーユニット１１６がセンサーユニット１１６の両側に作用電極および少なくとも１つのさらなる電極（図１に図示せず）などの電極を備える場合に、状況は電流に負う場合がある。この場合、導電トレースを介した例として、少なくとも１つの第１の電極は、第１の導電層１４６によって接触され、センサーユニット１１６の反対側に配置された少なくとも１つの第２の電極は、第２の導電層１５０によって接触され得る。図２に示す構成では、電気コネクタ１３０による、第１の導電層１４６および第２の導電層１５０の両方の電気接触は、上方側から、すなわち、その上に第１の導電層１４６が配置された、絶縁層１４８の側から、すなわち、同じ側から行われ得る。上述したように、図２に示す概念は、第２の導電層１５０の縁部越え接触（over-the-edge contacting）を実現する一代替策である。
【０１４３】
第１の導電層１４６および第２の導電層１５０は、少なくとも１つのコーティング１５４が絶縁層の少なくとも１つの表面１５６上に形成されるように、絶縁層１４６上に適用され得る。第２の導電層１５０は、少なくとも絶縁層１４８により、第１の導電層１４６から分離されている。絶縁層１４８は、具体的には、少なくとも１つの第１の絶縁層表面１５８、および少なくとも１つの第２の絶縁層表面１６０を備え、第１の絶縁層表面１５８および第２の絶縁層表面１６０は、相互接続装置１４２の延在方向１６２に沿って延在し得る。第１の絶縁層表面１５８は、絶縁層１４８の第１の絶縁層の側１６４に配置され得るし、第２の絶縁層表面１６０は、絶縁層１４８の第２の絶縁層の側１６６に配置され得る。よって、絶縁層１４８は、第１の導電層１４６と第２の導電層１５０との間に配置され得る。第１の導電層１４６は、５０ｎｍ〜４μｍの厚さｔ1を有し得るし、第２の導電層１５０は、５０ｎｍ〜４μｍの厚さｔ2を有し得る。
【０１４４】
電気接触部１３２は、マイクロビアフリーで設けられる。電気接触部１３２は、少なくとも１つの電気接触材料１６８を備える。例示的には、電気接触材料１６８は、銀、塩化銀、および炭素の少なくとも１つを含み得る。しかし、他の実施形態も実現可能であり得る。具体的には、電気接触材料１６８は、導電性ペーストを備え、または導電性ペーストとして相互接続装置１４２に適用が可能である。
【０１４５】
電気接触部１３２は、第２の導電層１５０に電気的に接続される。具体的には、電気接触材料１６８は、第２の導電層１５０の少なくとも１つの表面１７０と直接接触していてもよく、第２の導電層１５０と重なり合ってもよい。具体的には、表面１７０は、延在方向１６２に対して横方向に、具体的には垂直方向に方向付けられる垂直の第２の導電層の表面１７２であり得る。
【０１４６】
さらに、相互接続装置は、少なくとも１つの縁部１７４を有し、電気接触材料１６８は、相互接続装置１４２の縁部１７４を越えて延在し得る。少なくとも１つの縁部１７４を越えて延在することにより、これらの導電層１４６、１５０が反対側に配置されていても、第２の導電層１５０は、第１の導電層１４６と同じ側から電気接触部１３２を介して、絶縁層１４８内にビアを設ける必要なしで接触され得る。よって、製造の観点から、ビアは一般的に困難であり、さらなる製造工程を必要とする。
【０１４７】
具体的には、第２の導電層１５０は、絶縁層１４８の、第１の絶縁層の側１６４に対向する第２の絶縁層の側１６６に配置され得る。電気接触部１３２および第１の導電層１４６はいずれも、第１の絶縁層の側１６４に少なくとも部分的に配置され得る。
【０１４８】
さらに、電気接触材料１６８は、絶縁層１４８の少なくとも１つの絶縁層表面１５６上に少なくとも部分的に配置され得る。具体的には、絶縁層表面１５６は、第１の絶縁層表面１５８および第２の絶縁層表面１６０を備え得る。第１の絶縁層表面１５８および第２の絶縁層表面１６０は、相互接続装置１４２の延在方向１６２に沿って延在し得る。第１の導電層１４６は、第１の絶縁層表面１５８を少なくとも部分的に覆い得る。さらに、第２の導電層１５０は、第２の絶縁層表面１６０を少なくとも部分的に覆い得る。さらに、絶縁層１４８は、少なくとも１つの第３の絶縁層表面１７６を備え得る。第３の絶縁層表面１７６は、相互接続装置１４２の延在方向１６２に対して横の、具体的には垂直の方向１７８に沿って延在し得る。具体的には、第３の絶縁層表面１７６は、絶縁層１４８の狭い側１８０を表し得る。
【０１４９】
第２の導電層１５０は、第２の絶縁層表面１６０を少なくとも部分的に覆い得る。具体的には、第２の導電層１５０は、絶縁層１４８に面一に適合され得る。具体的には、垂直の第２の導電層の表面１７２は、第３の絶縁層表面１７６に面一に適合され得る。垂直の第２の導電層の表面１７２および第３の絶縁層表面１７８は、相互接続装置１４２の狭い側１８０を形成し得る。具体的には、電気接触材料１６８は、垂直の第２の導電層の表面１７２を少なくとも部分的に覆い得る。
【０１５０】
さらに、電気接触材料１６８は、第１の絶縁層表面１５８を少なくとも部分的に覆い得る。第１の導電層１４６および電気接触材料１６８はいずれも、第１の絶縁層表面１５８を覆い得る。具体的には、第１の導電層１４６は、第１の絶縁層表面１５８の第１のセクション１８２を覆い、電気接触材料１６８は、第１の絶縁層表面１５８の第２のセクション１８４を覆い得る。第１のセクション１８２および第２のセクション１８４は、具体的には、互いに別個であり得る。具体的には、第１の導電層１４６および電気接触材料１６８は、間隙１８６が第１の絶縁層表面１５８上に形成されるように互いに対して方向付けられ得る。間隙１８６は、少なくとも、第１の絶縁層表面１５６と、相互接続装置１４２の延在方向１６８に対して横方向に、具体的には垂直方向に方向付けられた少なくとも１つの第１の導電層の表面１８８と、相互接続装置１４２の延在方向１６２に対して横方向に、具体的には垂直方向に方向付けられた、電気接触材料１６８の少なくとも１つの電気接触材料表面１９０とによって形成され得る。電気接触材料表面１９０および第１の導電層の表面１８８は互いに平行であり得る。間隙１８６は、矩形形状、具体的には方形形状を有し得る。
【０１５１】
電気接触部１３２は、第２の導電層１５０に対向する、相互接続装置１４２の一方側１９２から接触可能である。特に、電気接触部１３２は、絶縁層１４８に対して第２の導電層１５０に対向する、相互接続装置１４２の一方側１９２から接触可能であり得る。具体的には、相互接続装置１４２は、第１の導電層１４６によって少なくとも部分的に覆われた少なくとも１つの第１の相互接続装置の側１９４、および第２の導電材料１５０によって少なくとも部分的に覆われた少なくとも１つの第２の相互接続装置の側１９６を備え得る。よって、電気接触部１３２は、第１の相互接続装置の側１９４から接触可能であり得る。
【０１５２】
絶縁層１４８の少なくとも１つの縁部１７４を越えて電気接触部１３２を延在させる概念は、絶縁層１４８内にビアを設けることなく、同じ側から第１の導電層１４６および第２の導電層１５０の両方を接触させる１つの潜在的な概念である。図３Ａ〜４Ｃは、層構成の異なる深さで配置されていても、絶縁層１４８を越えて横方向に延在する層１６７を形成する電気接触部１３２を介して第１および第２の導電層１４６、１５０が接触され得る代替的な概念を示す。その中で、図３Ａ〜３Ｃは、第１の部分１１２および電気接触部１３２の例示的な構成を示し、図４Ａおよび４Ｂは、支持体２１５を形成するコネクタ要素２１４への電気接触部１３２および第１の部分１１２の実装を示し、図４Ｂは、図１にも示すように、電気コネクタ１３０による、図４Ｂの構成の接触を示す。図４Ａ〜４Ｃはさらに、医療装置１１０を製造するための、具体的には、第１の部分１１２および第２の部分１１４を相互接続するための例示的な実施形態の例示として使用され得る。
【０１５３】
したがって、図３Ａは、上面図において、第１の部分１１２の、たとえば、センサーユニット１１６の、第２の例示的な実施形態を示す。図３Ｂは、断面図において、第１の部分１１２を示し、図３Ｃは、底面図において、絶縁層１４８によって形成された、第１の部分１１２の基板２２４を示す。第１の部分１１２は、具体的には、図１による第１の部分１１２に対応し得る。
【０１５４】
図３Ａでは、第１の部分１１２の上面図が示され、図３Ｂでは、第１の部分１１２の断面図が示される。図２の意味合いで上述したように、センサーユニット１１６は、絶縁層１４８の両側に、具体的には、生体内遠位端１２０および／または埋込可能な部分１２２において電極を備え得る。これらの電極はそれぞれ、図３Ａおよび３Ｃにおいて、参照符号２００および２０８のそれぞれによって表され、第１の導電層１４６および第２の導電層１５０のそれぞれの一部を形成し得る。例として、電極２００、２０８は、少なくとも１つの作用電極および少なくとも１つのさらなる電極、たとえば、少なくとも１つの参照電極および／または少なくとも１つの対向電極を備え得る。これらの電極は、図３Ａに示す、絶縁層１４８の第１の側または第１の相互接続装置の側１９４に、および、図３Ｃに示す、絶縁層１４８の第２の側または第２の相互接続装置の側１９６に配置された、第１の導電層１４６および第２の導電層１５０のそれぞれの一部も形成する導電路２０２、２１０を介して接触させられ得る。導電路２０２、２１０は、対向する第１および第２の相互接続装置の側１９４、１９６のそれぞれに配置された接触パッド２０４、２０５につながり得る。これらの接触パッド２０４、２０５は、第１および第２の導電層１４６、１５０のそれぞれの一部も形成する。
【０１５５】
第１の導電層１４６および第２の導電層１５０の両方を同じ側から、すなわち、第１の相互接続装置の側１９４から電気的に接触させるために、電気接触部１３２が設けられる。この実施形態では、電気接触部１３２は、電気接触材料１６８によって形成された層１６７として具現化される。図３Ｂにおいて分かるように、電気接触材料１６８は、少なくとも１つの電気接触材料表面１６９を形成し得るが、第１の導電層１４６、絶縁層１４８、および第２の導電層１５０を有する基板２２４は、電気接触材料表面１６９の上面上に配置され得る。基板２２４によって覆われておらず、別の要素によって接触可能な自由領域１７１が設けられ得るように、絶縁層１４８は、電気接触材料１６９を部分的に覆い得る基板２２４を形成し得る。よって、層１６７は、絶縁層１４８を越えて横方向に延在し、よって、第１の導電層１４６と同じ側から接触され得る１つの部分または自由領域１７１を形成する。層１６７は、第２の導電層１５０と電気的に接触しているので、層１６７を接触させることにより、第１の導電層１４６についての側と同じ側から、すなわち、図４Ｃに関して以下にさらに詳細に説明するように、第１の相互接続装置の側１９４から第２の導電層１５０との電気接触が確立され得る。
【０１５６】
図３Ｃでは、基板２２４の背面図が示される。図３Ｂに表す図は、Ａ−Ａ線で示す図３Ｃによる図の断面図を表す。よって、第２の相互接続装置の側１９６は、第２の導電層１４６の一部を形成する１つまたは複数の接触パッド２０５、１つまたは複数の導電路２１０、および１つまたは複数の電極２０８を有し得る。具体的には、図３Ｂに示すように、少なくとも１つの接触パッド２０５は、電気接触材料表面１６９と直接接触していてもよい。
【０１５７】
図４Ａ〜４Ｃでは、図３Ａ〜３Ｃの第２の代替的な実施形態を使用して、医療装置１１０を製造する例示的な方法が示される。その中で、経皮センサーユニット１１８として具現化された第１の部分１１２と、図３Ａ〜３Ｃに示される電気接触部１３２とが使用される。よって、図３Ａ〜３Ｃの説明を参照し得る。
【０１５８】
第１の工程では、図４Ａに示すように、支持体２１５として機能する少なくとも１つのコネクタ要素２１４が設けられ得る。支持体２１５は、例として、および、図１に示されるように、具体的には、ボディマウントの一部であり得るし、センサーユニット１１６を保持するように構成され得る。
【０１５９】
コネクタ要素２１４は、アクリロニトリルブタジエンスチレン（ＡＢＳ）などの少なくとも１つの熱可塑性ポリマーで作製され得る。コネクタ要素２１４は、たとえば丸い形状を有する、少なくとも１つのレセプタクル２１６を備え得る。さらに、コネクタ要素２１４は、レセプタクル２１６を取り囲む少なくとも１つの封止リング２１８を備え得る。よって、具体的には、コネクタ要素２１４は、図１に示すように、センサー電子ユニット１２６の対応するコネクタとともに製作され得る水密プラグとして全体的または部分的に具現化され得る。
【０１６０】
方法はまず、少なくとも１つの電気接触部１３２を設ける工程を含む。この場合、この電気接触部１３２は、レセプタクル２１６の支持面２２０上に電気接触材料１６８を配置することによって設けられる。例として、少なくとも１つの導電性ペースト２２２は、レセプタクル２１６の少なくとも１つの支持面２２０上に配置され得る。具体的には、導電性ペーストは、ジエチレングリコールモノブチルエーテル（ＤＥＧＭＢＥ）で希釈され得る銀、塩化銀、および炭素を含み得る。導電性ペースト２２２は、たとえば、プレシジョンチップ２５ＧＡなどの投与針、およびシリンジ、具体的には２．５ｍｌシリンジを介して投与され得る。その後、導電性ペースト２２２は、８０℃の温度で２４時間、乾燥キャビネット内で乾燥させられ、よって、電気接触部１３２が形成され得る。
【０１６１】
その後、さらなる工程において、図４Ｂにも示すように、第２の部分１１２が設けられ得る。よって、図３Ａ〜図３Ｃの意味合いで上述したように、基板２２４を形成する絶縁層１４８は、第２の相互接続装置の側１９６（この図では示してない）が電気接触部１３２に面している状態で設けられ得る。よって、電気接続が、電気接触部１３２と、第２の相互接続装置の側１９６上に配置された接触パッド２０４との間に形成される。図４Ｂで見ることができように、層１７６は、基板２２４を越えて横方向に突出し、自由領域１７１の部分を形成しているので、図４Ｂに示す上面図は、３つの独立した接触可能部分、第１に、第２の導電層１５０および接触パッド２０５に電気的に接続された自由領域１７１、第２および第３に、第１の導電層１４６の一部を形成する接触パッド２０４、を表す。
【０１６２】
図４Ｃでは、最後に、少なくとも１つの電気コネクタ１３０を有する少なくとも１つの第２の部分１１４を設ける工程と、第２の部分１１４を第１の部分１１２と嵌合させる工程とが示される。この工程は、例として、センサー電子ユニット１２６および／または評価ユニット１２８が、図１中の所定の位置に置かれた際に行われ得る。図４Ｃは、図４Ｂ中のＡ−Ａ線に沿った断面図を示す。
【０１６３】
よって、その中で示すように、電気コネクタ１３０は、２つの接触パッド１０４を有するこの実施形態では、２つの第１の電気コネクタ２２６を備え、２つの第１の電気コネクタ２２６は、例として、第１の相互接続装置の側１９４の第１の導電層１４６の接触パッド２０４に押し当てられる接触ピンとして具現化される。第２の相互接続装置の側１９６である反対側では、上述したように、第２の導電層１５０の接触パッチ２０５は、電気接触部１３２の層１６７と電気的に接触している。例として、第１の電気コネクタ２２６の接触ピン、および／または他のタイプの接触部は、層１６７に、接触パッド２０５とともに第１の部分１１２を押し当てるために使用され得る。電気コネクタ１３０はさらに、例として、接触ピンとしても具現化され得る少なくとも１つの第２の電気コネクタ２２８を備える。第２の電気コネクタ２２８は、自由領域１７１内で層１６７に接触する。結果として、接触パッド２０４および接触パッド２０５はいずれも、両側１９４、１９６に配置されていても、同じ側から、すなわちこの構成では側１９４から接触され得る。マイクロビアは必要でない。電気コネクタ１３０は、例として、他のタイプのばね接触部も備え得る。第２の部分１１４と層１６７との間の距離が第２の部分１１４と接触パッド２０４との間の距離よりもわずかに大きいので、第２の電気コネクタ２２８は、例として、第１の電気コネクタ２２６と比較してわずかに長くなり得る。
【符号の説明】
【０１６４】
１１０  医療装置
１１２  第１の部分
１１４  第２の部分
１１６  センサーユニット
１１８  経皮センサーユニット
１２０  生体内遠位端
１２２  埋込可能な部分
１２４  生体外近位端
１２６  センサー電子ユニット
１２８  評価ユニット
１３０  電気コネクタ
１３２  電気接触部
１３４  ハウジング
１３６  平坦面
１３８  接着面
１４０  貫通孔
１４２  相互接続装置
１４４  プリント回路基板
１４６  第１の導電層
１４８  絶縁層
１５０  第２の導電層
１５２  絶縁キャリア材料層
１５４  コーティング
１５６  表面
１５８  第１の絶縁層表面
１６０  第２の絶縁層表面
１６２  延在方向
１６４  第１の絶縁層の側
１６６  第２の絶縁層の側
１６７  電気接触部の層
１６８  電気接触材料
１６９  電気接触材料表面
１７０  表面
１７１  自由領域
１７２  垂直の第２の導電層の表面
１７４  縁部
１７６  第３の絶縁層表面
１７８  方向
１８０  狭い側
１８２  第１のセクション
１８４  第２のセクション
１８６  間隙
１８８  第１の導電層の表面
１９０  電気接触材料表面
１９２  側
１９４  第１の相互接続装置の側
１９６  第２の相互接続装置の側
２００  電極
２０２  導電路
２０４  接触パッド
２０５  接触パッド
２０８  電極
２１０  導電路
２１２  断面図
２１４  コネクタ要素
２１５  支持体
２１６  レセプタクル
２１８  封止リング
２２０  支持面
２２２  導電性ペースト
２２４  基板
２２６  第１の電気コネクタ
２２８  第２の電気コネクタ
【図１】
2020511240.tif 000003
【図２】
2020511240.tif 000004
【図３Ａ】
2020511240.tif 000005
【図３Ｂ】
2020511240.tif 000006
【図３Ｃ】
2020511240.tif 000007
【図４Ａ】
2020511240.tif 000008
【図４Ｂ】
2020511240.tif 000009
【図４Ｃ】
2020511240.tif 000010
【国際調査報告】
2020511240.tif 000011
2020511240.tif 000012
2020511240.tif 000013
2020511240.tif 000014